(57)【要約】【課題】音声電子透かしの検出要否情報を適用してコンテンツの再生制御を行う。【解決手段】データ処理部が、コンテンツに対応付けられた管理データに記録された音声電子透かし検出要否情報を参照し、再生コンテンツが音声電子透かし検出要のコンテンツであるか否かを判定し、判定結果に応じて音声電子透かし検出を実行するか否かを決定する。管理データは、コンテンツ証明書、またはコンテンツ利用制御情報、またはタイトル鍵ファイルであり、データ処理部は、いずれかの管理データに記録された検出要否情報に従って音声電子透かし検出または検出結果に応じた対応処理を伴う、または伴わないコンテンツ再生を実行する。【選択図】図１１
2016103303.tif 000002
【特許請求の範囲】
【請求項１】
コンテンツ再生処理を実行するデータ処理部を有し、
前記データ処理部は、
コンテンツに対応付けられた管理データに記録された音声電子透かし検出要否情報を参照し、再生対象コンテンツが音声電子透かし検出要のコンテンツであるか否かを判定し、該判定結果に応じてコンテンツ再生時に音声電子透かしの検出または検出結果に応じた対応処理を実行するか否かを決定する情報処理装置。
【請求項２】
前記管理データは、コンテンツに対応して設定されたコンテンツ証明書であり、
前記データ処理部は、
再生対象コンテンツに対応するコンテンツ証明書に記録された音声電子透かし検出要否情報を取得する請求項１に記載の情報処理装置。
【請求項３】
前記コンテンツ証明書は、電子署名が設定された証明書であり、
前記データ処理部は、
前記電子署名に対する署名検証を実行し、コンテンツ証明書が改ざんのない正当な証明書であることを確認した後、該コンテンツ証明書に記録された音声電子透かし検出要否情報を取得する請求項２に記載の情報処理装置。
【請求項４】
前記管理データは、コンテンツに対応して設定されたコンテンツ利用制御情報ファイルであり、
前記データ処理部は、
再生対象コンテンツに対応するコンテンツ利用制御情報ファイルに記録された音声電子透かし検出要否情報を取得する請求項１に記載の情報処理装置。
【請求項５】
前記コンテンツ利用制御情報ファイルは、電子署名が設定された証明書であり、
前記データ処理部は、
前記電子署名に対する署名検証を実行し、コンテンツ利用制御情報ファイルが改ざんのない正当なファイルであることを確認した後、該コンテンツ利用制御情報ファイルに記録された音声電子透かし検出要否情報を取得する請求項４に記載の情報処理装置。
【請求項６】
前記管理データは、コンテンツに対応して設定されたタイトル鍵ファイルであり、
前記データ処理部は、
再生対象コンテンツに対応するタイトル鍵ファイルに記録された音声電子透かし検出要否情報を取得する請求項１に記載の情報処理装置。
【請求項７】
前記タイトル鍵ファイルは、電子署名が設定された証明書であり、
前記データ処理部は、
前記電子署名に対する署名検証を実行し、タイトル鍵ファイルが改ざんのない正当なファイルであることを確認した後、該タイトル鍵ファイルに記録された音声電子透かし検出要否情報を取得する請求項６に記載の情報処理装置。
【請求項８】
前記タイトル鍵ファイルは暗号化データとして構成され、
前記データ処理部は、
情報処理装置に格納した鍵データを適用した復号処理を実行して、前記タイトル鍵ファイルから音声電子透かし検出要否情報を取得する請求項６に記載の情報処理装置。
【請求項９】
前記データ処理部は、
コンテンツを取得したコンテンツサーバが、コンテンツ管理機関であるライセンスサーバの認定した認定コンテンツサーバである場合は、コンテンツ再生時の音声電子透かしの検出処理を省略し、非認定コンテンツサーバである場合は、コンテンツ再生時の音声電子透かしの検出または検出結果に応じた対応処理を実行する請求項１に記載の情報処理装置。
【請求項１０】
前記データ処理部は、
コンテンツサーバから受信するサーバ証明書に設定された電子署名の検証処理を前記ライセンスサーバの公開鍵を適用して実行し、署名検証が成立した場合は、コンテンツサーバが認定コンテンツサーバであると判定する請求項９に記載の情報処理装置。
【請求項１１】
コンテンツ再生を実行する情報処理装置に対して、コンテンツ再生時に音声電子透かしの検出を実行すべきか省略可能かを示す音声電子透かし検出情報を記録した管理データを提供するライセンスサーバ。
【請求項１２】
前記管理データは、コンテンツに対応付けられたコンテンツ証明書であり、ライセンスサーバの秘密鍵を適用した電子署名を有するコンテンツ証明書である請求項１１に記載のライセンスサーバ。
【請求項１３】
前記管理データは、コンテンツに対応付けられたコンテンツ利用制御情報ファイルであり、ライセンスサーバの秘密鍵を適用した電子署名を有するコンテンツ利用制御情報ファイルである請求項１１に記載のライセンスサーバ。
【請求項１４】
コンテンツをメディアに記録するデータ処理部を有し、
前記データ処理部は、
記録対象コンテンツに対応付けられた管理データであり、コンテンツ再生時の音声電子透かし検出要否情報を記録した管理データを取得して、前記メディアに記録する情報処理装置。
【請求項１５】
前記管理データは、コンテンツに対応付けられたコンテンツ証明書であり、電子署名を有するコンテンツ証明書である請求項１４に記載の情報処理装置。
【請求項１６】
前記管理データは、コンテンツに対応付けられたコンテンツ利用制御情報ファイルであり、電子署名を有するコンテンツ利用制御情報ファイルである請求項１４に記載の情報処理装置。
【請求項１７】
情報処理装置においてコンテンツ再生処理を実行する情報処理方法であり、
データ処理部は、
再生対象コンテンツに対応付けられた管理データに記録された音声電子透かし検出要否情報を参照し、再生対象コンテンツが音声電子透かし検出要のコンテンツであるか否かを判定し、該判定結果に応じてコンテンツ再生時に音声電子透かしの検出または検出結果に応じた対応処理を実行するか否かを決定する情報処理方法。
【請求項１８】
情報処理装置においてコンテンツ再生処理を実行させるプログラムであり、
前記プログラムは、データ処理部に、
再生対象コンテンツに対応付けられた管理データに記録された音声電子透かし検出要否情報を参照する処理と、
再生対象コンテンツが音声電子透かし検出要のコンテンツであるか否かを判定する処理と、
該判定結果に応じてコンテンツ再生時に音声電子透かしの検出または検出結果に応じた対応処理を実行するか否かを決定する処理を実行させるプログラム。
【発明の詳細な説明】
【技術分野】
【０００１】
本開示は、情報処理装置、および情報処理方法、並びにプログラムに関する。さらに詳細には、ディスク等のメディアに記録されたコンテンツの再生制御等を実行する情報処理装置、および情報処理方法、並びにプログラムに関する。
【背景技術】
【０００２】
映画や音楽等、様々なコンテンツを記録する情報記録媒体（メディア）として、ＤＶＤ(Digital Versatile Disc)や、ＢＤ（Ｂｌｕ−ｒａｙ（登録商標）  Ｄｉｓｃ）、あるいはＳＤカード等のフラッシュメモリが多く利用されている。
【０００３】
なお、これらの情報記録媒体には、予め規定されたデータ記録フォーマットで画像、音声、さらに再生制御データ等の各種のデータが記録される。
例えば、ＢＤに対するデータ記録フォーマットとして、ＢＤＭＶ（Ｂｌｕ−ｒａｙ（登録商標）  Ｄｉｓｃ  Ｍｏｖｉｅ）フォーマットが利用される。
ＢＤＭＶフォーマットの記録データを再生するためには、ＢＤＭＶフォーマットデータの再生用のプログラムを保持していることが必要となる。
【０００４】
なお、ＢＤＭＶフォーマットデータには、再生対象データを記録したクリップＡＶストリームファイルや、再生制御情報ファイルとしてのプレイリストファイル、クリップ情報ファイル等が含まれる。
再生対象データである画像や音声データは、クリップＡＶストリームファイルに格納されるが、このクリップＡＶストリームファイルは、ＴＳ（Ｔｒａｎｓｐｏｒｔ  Ｓｔｒｅａｍ）パケットによって構成されるＭＰＥＧ−２ＴＳフォーマットに従って記録される。
【０００５】
ＢＤ等の情報記録媒体に記録される音楽データ、画像データ等の多くのコンテンツは、その作成者あるいは販売者に著作権、頒布権等が保有されている。従って、このような情報記録媒体（メディア）にコンテンツを格納してユーザに提供する場合、正規な利用権を持つユーザのみにコンテンツの利用を許容する利用制御を行うのが一般的である。
【０００６】
この利用制御を実現する１つの手法に音声電子透かし（Ａｕｄｉｏ  Ｗａｔｅｒｍａｒｋ）がある。
音声電子透かし（Ａｕｄｉｏ  Ｗａｔｅｒｍａｒｋ）は、コンテンツの音声データ中に、通常再生では聞き取れない音声信号を制御信号として埋め込むものである。
【０００７】
音声電子透かし（Ａｕｄｉｏ  Ｗａｔｅｒｍａｒｋ）には、以下の２つの種類がある。
（ａ）非ホームユース識別マーク（Ｎｏ  Ｈｏｍｅ  Ｕｓｅ  Ｍａｒｋ）
（ｂ）信頼ソース識別マーク（Ｔｒｕｓｔｅｄ  Ｓｏｕｒｃｅ  Ｍａｒｋ）
【０００８】
（ａ）非ホームユース識別マーク（Ｎｏ  Ｈｏｍｅ  Ｕｓｅ  Ｍａｒｋ）は、例えば映画館で上映されるコンテンツ等、個人的な利用が想定されないコンテンツに埋め込まれる。
（ｂ）信頼ソース識別マーク（Ｔｒｕｓｔｅｄ  Ｓｏｕｒｃｅ  Ｍａｒｋ）は、映像コンテンツの著作権保護規格であるＡＡＣＳ（Ａｄｖａｎｃｅｄ  Ａｃｃｅｓｓ  Ｃｏｎｔｒｏｌ  Ｓｙｓｔｅｍ）の認定技術に従って著作権保護されたコンテンツに埋め込まれる。
【０００９】
例えば、ＭＰＥＧ−２ＴＳフォーマット対応のコンテンツ再生アプリケーションは、メディアからのコンテンツ再生時に、上記の音声電子透かし（Ａｕｄｉｏ  Ｗａｔｅｒｍａｒｋ）を検出して、再生を許容するか再生を中止するかの制御を行う。
この制御により、例えば不正コピーコンテンツの再生を防止することができる。
【００１０】
一方、昨今、スマホ（スマートホン）や、タブレット端末等の携帯端末などで映画等のコンテンツ視聴を行うユーザが増加している。
このような携帯端末は、例えばＳＤカード等のフラッシュメモリが搭載され、フラッシュメモリに対するデータ記録が行われる。
しかし、このような携帯端末には上記のＭＰＥＧ−２ＴＳフォーマット対応の再生アプリケーションが搭載されているとは限らない。
【００１１】
従って、ＢＤの記録データを携帯端末のメデイアにコピーする場合は、ＭＰＥＧ−２ＴＳフォーマットではない携帯端末の再生アプリケーションが再生可能なフォーマットに変更してコンテンツを記録する必要がある。
なお、メディア間のデータコピー処理については、例えば特許文献１（特開２００８−９８７６５号公報）や、特許文献２（特開２０１１−２２２０７８号公報）に記載がある。
【００１２】
携帯端末等による利用を考慮して規格化されたデータ記録フォーマットとしてＭＰ４フォーマット（以下ＭＰ４と呼ぶ）がある。
多くの携帯端末は、ＭＰ４で記録されたＭＰ４データを再生可能な再生アプリケーションを有しており、携帯端末のメディアにコンテンツを記録する場合ＭＰ４形式で記録することが求められる。
ＭＰＥＧ−２ＴＳフォーマットからＭＰ４フォーマットへの変換処理とコピー処理については、現在、正当なコピー処理アルゴリズムの規格化が進められている。
【００１３】
しかし、コピーコンテンツをＭＰ４対応の再生アプリケーションで再生する場合に、上記の音声電子透かし（Ａｕｄｉｏ  Ｗａｔｅｒｍａｒｋ）が検出されると、正規なコピーコンテンツであっても再生停止処理がなされる可能性がある。
ＭＰ４対応の再生アプリケーションによる音声電子透かし（Ａｕｄｉｏ  Ｗａｔｅｒｍａｒｋ）の検出や対応についての検討がまだ十分に行われておらず、正規なコピーコンテンツであっても再生が停止される場合や、不正コピーコンテンツであっても再生を許容してしまうといった可能性がある。
【先行技術文献】
【特許文献】
【００１４】
【特許文献１】特開２００８−９８７６５号公報
【特許文献２】特開２０１１−２２２０７８号公報
【発明の概要】
【発明が解決しようとする課題】
【００１５】
本開示は、このような問題点に鑑みてなされたものであり、フォーマット変換を伴うデータ記録処理を行なった場合にも、音声電子透かし（Ａｕｄｉｏ  Ｗａｔｅｒｍａｒｋ）に対する適切な対応を行うことを可能とする情報処理装置、および情報処理方法、並びにプログラムを提供することを目的とする。
【課題を解決するための手段】
【００１６】
本開示の第１の側面は、
コンテンツ再生処理を実行するデータ処理部を有し、
前記データ処理部は、
コンテンツに対応付けられた管理データに記録された音声電子透かし検出要否情報を参照し、再生対象コンテンツが音声電子透かし検出要のコンテンツであるか否かを判定し、該判定結果に応じてコンテンツ再生時に音声電子透かしの検出または検出結果に応じた対応処理を実行するか否かを決定する情報処理装置にある。
【００１７】
さらに、本開示の第２の側面は、
コンテンツ再生を実行する情報処理装置に対して、コンテンツ再生時に音声電子透かしの検出を実行すべきか省略可能かを示す音声電子透かし検出情報を記録した管理データを提供するライセンスサーバにある。
【００１８】
さらに、本開示の第３の側面は、
コンテンツをメディアに記録するデータ処理部を有し、
前記データ処理部は、
記録対象コンテンツに対応付けられた管理データであり、コンテンツ再生時の音声電子透かし検出要否情報を記録した管理データを取得して、前記メディアに記録する情報処理装置にある。
【００１９】
さらに、本開示の第４の側面は、
情報処理装置においてコンテンツ再生処理を実行する情報処理方法であり、
データ処理部は、
再生対象コンテンツに対応付けられた管理データに記録された音声電子透かし検出要否情報を参照し、再生対象コンテンツが音声電子透かし検出要のコンテンツであるか否かを判定し、該判定結果に応じてコンテンツ再生時に音声電子透かしの検出または検出結果に応じた対応処理を実行するか否かを決定する情報処理方法にある。
【００２０】
さらに、本開示の第５の側面は、
情報処理装置においてコンテンツ再生処理を実行させるプログラムであり、
前記プログラムは、データ処理部に、
再生対象コンテンツに対応付けられた管理データに記録された音声電子透かし検出要否情報を参照する処理と、
再生対象コンテンツが音声電子透かし検出要のコンテンツであるか否かを判定する処理と、
該判定結果に応じてコンテンツ再生時に音声電子透かしの検出または検出結果に応じた対応処理を実行するか否かを決定する処理を実行させるプログラムにある。
【００２１】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。
【００２２】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２３】
本開示の一実施例の構成によれば、音声電子透かしの検出要否情報を適用してコンテンツの再生制御を行う構成が実現される。
具体的には、再生装置のデータ処理部が、コンテンツに対応付けられた管理データに記録された音声電子透かし検出要否情報を参照し、再生コンテンツが音声電子透かし検出要のコンテンツであるか否かを判定し、判定結果に応じて音声電子透かし検出を実行するか否かを決定する。管理データは、コンテンツ証明書、またはコンテンツ利用制御情報、またはタイトル鍵ファイルであり、データ処理部は、いずれかの管理データに記録された検出要否情報に従って音声電子透かし検出または検出結果に応じた対応処理を伴う、または伴わないコンテンツ再生を実行する。
本構成により、音声電子透かしの検出要否情報を適用してコンテンツの再生制御を行う構成が実現される。
なお、本明細書に記載された効果はあくまで例示であって限定されるものではなく、また付加的な効果があってもよい。
【図面の簡単な説明】
【００２４】
【図１】音声電子透かしの概要について説明する図である。
【図２】ＢＤＭＶフォーマットに従ってメディアに記録されるデータのディレクトリ構成例について説明する図である。
【図３】ＢＤＭＶフォーマットにおいて規定されるプレイリストと、再生データとの対応について説明する図である。
【図４】クリップＡＶストリーム（Ｃｌｉｐ  ＡＶ  Ｓｔｒｅａｍ）ファイルのデータ構成としてのＭＰＥＧ−２ＴＳ（トランスポートストリーム）の構成例について説明する図である。
【図５】ＭＰ４フォーマットについて説明する図である。
【図６】ＣＦＦ（Ｃｏｍｍｏｎ  Ｆｉｌｅ  Ｆｏｒｍａｔ）の構成について説明する図である。
【図７】コンテンツのコピー処理の概要について説明する図である。
【図８】コンテンツのコピー処理シーケンスについて説明する図である。
【図９】様々なソースからのコンテンツの記録処理と再生処理の例について説明する図である。
【図１０】音声電子透かし検出要否情報をコンテンツ証明書に記録した場合のコンテンツ記録処理例について説明する図である。
【図１１】音声電子透かし検出要否情報をコンテンツ証明書に記録した場合のコンテンツ再生処理例について説明する図である。
【図１２】音声電子透かし検出要否情報をコンテンツ利用制御情報に記録した場合のコンテンツ記録処理例について説明する図である。
【図１３】音声電子透かし検出要否情報をコンテンツ利用制御情報に記録した場合のコンテンツ再生処理例について説明する図である。
【図１４】音声電子透かし検出要否情報をタイトル鍵ファイルに記録した場合の例について説明する図である。
【図１５】コンテンツの提供元のサーバに応じて音声電子透かしの検出要否を決定する処理例について説明する図である。
【図１６】相互認証処理のシーケンスについて説明するシーケンス図である。
【図１７】情報処理装置の構成例について説明する図である。
【図１８】情報処理装置のデータ変換部の構成例について説明する図である。
【図１９】情報処理装置のハードウェア構成例について説明する図である。
【発明を実施するための形態】
【００２５】
以下、図面を参照しながら本開示の情報処理装置、および情報処理方法、並びにプログラムの詳細について説明する。なお、説明は以下の項目に従って行なう。
１．音声電子透かし（Ａｕｄｉｏ  Ｗａｔｅｒｍａｒｋ）について
２．フォーマット変換を伴うデータ記録処理について
２−１．ＭＰＥＧ−２ＴＳフォーマットについて
２−２．ＭＰ４フォーマットについて
２−３．ＭＰＥＧ−２ＴＳをＭＰ４に変換する処理について
３．音声電子透かしの検出要否情報の利用構成について
４．音声電子透かしの検出要否情報を利用した処理について
４−１．コンテンツ証明書（Ｃｏｎｔｅｎｔ  Ｃｅｒｔ）に音声電子透かし検出要否情報を記録した処理例について
４−２．コンテンツ利用制御情報ファイル（Ｃｏｎｔｅｎｔ  Ｕｓａｇｅ  Ｒｕｌｅ  Ｆｉｌｅ）に音声電子透かし検出要否情報を記録した処理例について
４−３．タイトル鍵ファイルに音声電子透かし検出要否情報を記録した処理例について
５．コンテンツを取得するサーバに応じて音声電子透かしの検出要否を決定する処理例について
６．ダウンロードコンテンツと、コンテンツ提供サーバとの対応付けについて
７．フォーマット変換およびデータ記録処理を実行する情報処理装置の構成例について
８．データ再生、または記録処理を実行する情報処理装置、およびサーバの構成例について
９．本開示の構成のまとめ
【００２６】
［１．音声電子透かし（Ａｕｄｉｏ  Ｗａｔｅｒｍａｒｋ）について］
まず、音声電子透かし（Ａｕｄｉｏ  Ｗａｔｅｒｍａｒｋ）について説明する。
音声電子透かし（Ａｕｄｉｏ  Ｗａｔｅｒｍａｒｋ）は、コンテンツの音声データ中に、通常再生では聞き取れない音声信号を制御信号として埋め込むものであり、現在、例えば、映画コンテンツや、ＢＤ（Ｂｌｕ−ｒａｙ（登録商標）  Ｄｉｓｃ）に格納されるコンテンツ等に埋め込まれている。
【００２７】
前述したように、音声電子透かし（Ａｕｄｉｏ  Ｗａｔｅｒｍａｒｋ）には、以下の２つの種類がある。
（ａ）非ホームユース識別マーク（Ｎｏ  Ｈｏｍｅ  Ｕｓｅ  Ｍａｒｋ）
（ｂ）信頼ソース識別マーク（Ｔｒｕｓｔｅｄ  Ｓｏｕｒｃｅ  Ｍａｒｋ）
図１を参照して、これらの音声電子透かしの利用態様について説明する。
【００２８】
（ａ）非ホームユース識別マーク（Ｎｏ  Ｈｏｍｅ  Ｕｓｅ  Ｍａｒｋ）は、図１（ａ）に示すように、例えば映画館で上映される映画館用コンテンツ１０等、個人的な利用が想定されないコンテンツに埋め込まれる。
例えば映画館の上映コンテンツを密かに撮影（録画録音）して、不正なコピーデータを記録したメディア（ディスク１１）を作成する。再生装置１２は、このメディアからのコンテンツ再生時に非ホームユース識別マーク（Ｎｏ  Ｈｏｍｅ  Ｕｓｅ  Ｍａｒｋ）を検出すると、再生を停止する。
【００２９】
再生装置１２の実行する所定の規格に従ったＭＰＥＧ−２ＴＳフォーマット対応の再生アプリケーションの処理によって、再生時に非ホームユース識別マーク（Ｎｏ  Ｈｏｍｅ  Ｕｓｅ  Ｍａｒｋ）の検出処理が実行され、検出すると再生を停止する。
なお、再生装置１２の再生アプリケーションは、例えばコンテンツの著作権保護規格であるＡＡＣＳ（Ａｄｖａｎｃｅｄ  Ａｃｃｅｓｓ  Ｃｏｎｔｒｏｌ  Ｓｙｓｔｅｍ）によって認定されたアプリケーションである。
この再生制御により、不正撮影コンテンツ等を記録した海賊版ディスク等からのコンテンツ再生を禁止することができる。
【００３０】
（ｂ）信頼ソース識別マーク（Ｔｒｕｓｔｅｄ  Ｓｏｕｒｃｅ  Ｍａｒｋ）は、図１（ｂ）に示すように、ＡＡＣＳの規定に従って著作権保護されたコンテンツに埋め込まれる。例えば、図１に示すディスク２０に記録されたコンテンツに埋め込まれる。
【００３１】
ＡＡＣＳでは、所定条件の下で例えばＢＤ、ＤＶＤ、ＨＤＤ間で暗号化コンテンツのままコンテンツをコピーして記録することを許容しており、ＡＡＣＳ規定に従ってコピーされたコンテンツについては正常な再生を許容する。
コピーコンテンツの再生を行なう再生装置１２の実行するＡＡＣＳ規定の再生アプリケーション、すなわち、ＭＰＥＧ−２ＴＳフォーマット対応の再生アプリケーションは、コピーコンテンツから信頼ソース識別マーク（Ｔｒｕｓｔｅｄ  Ｓｏｕｒｃｅ  Ｍａｒｋ）を検出してもコンテンツ再生を停止することなく、正常なコンテンツ再生を実行する。
この処理例は、図１（ｂ２）に示す処理例に対応する。すなわち、正当コピーデータを格納したディスク２２の再生は許容される。
【００３２】
しかし、ＡＡＣＳ規定に従わずにコピーされたコンテンツ、例えば、第１メディアに記録された暗号化コンテンツを、復号して平文にした後、第２メディアにコピー記録したような場合は、ＡＡＣＳ規定の再生装置の実行する再生アプリケーションは、第２メディアからのコピーコンテンツの再生時に、信頼ソース識別マーク（Ｔｒｕｓｔｅｄ  Ｓｏｕｒｃｅ  Ｍａｒｋ）を検出すると再生を中止、あるいは音声信号をミュート（非出力あるいは最小出力等）する等の再生制御を実行する。
この処理例は、図１（ｂ１）に示す処理例に対応する。すなわち、不正コピーデータを格納したディスク２１の再生は停止される。
このような再生制御により、ＡＡＣＳ規定に従わない不正コピーコンテンツの再生や利用を防止することができる。
【００３３】
［２．フォーマット変換を伴うデータ記録処理について］
上述した音声電子透かし（Ａｕｄｉｏ  Ｗａｔｅｒｍａｒｋ）を用いた再生制御構成は、基本的には、ＭＰＥＧ−２ＴＳフォーマットに従って記録されたデータに適用可能とした構成である。
先に説明したように、昨今、スマホ（スマートホン）や、タブレット端末等の携帯端末などで映画等のコンテンツ視聴を行うユーザが増加している。
【００３４】
このような携帯端末には、上記のＭＰＥＧ−２ＴＳフォーマット対応の再生アプリケーションが搭載されているとは限らない。
多くの携帯端末は、ＭＰ４フォーマットで記録されたＭＰ４データを再生可能な再生アプリケーションを有しており、携帯端末のメディアにコンテンツを記録する場合ＭＰ４形式で記録することが求められる。
以下、ＭＰＥＧ−２ＴＳフォーマットと、ＭＰ４フォーマットの概要について説明する。
【００３５】
［２−１．ＭＰＥＧ−２ＴＳフォーマットについて］
ＭＰＥＧ−２ＴＳフォーマットと、ＭＰ４フォーマットは、いずれも画像（Ｖｉｄｅｏ）、音声（Ａｕｄｉｏ）、字幕（Ｓｕｂｔｉｔｌｅ）等、コンテンツ構成データである符号化データを記録媒体（メディア）に格納、または放送波やネットワークを介して伝送する際の符号化データ等のデータ格納形式（コンテナフォーマット）を規定したフォーマットである。
【００３６】
ＭＰＥＧ−２ＴＳフォーマットは、ＩＳＯ１３８１８−１において標準化されたフォーマットであり、例えばＢＤ（Ｂｌｕ−ｒａｙ（登録商標）  Ｄｉｓｃ）に対するデータ記録や、デジタル放送等に用いられている。
一方、ＭＰ４フォーマットは、ＩＳＯ／ＩＥＣＣ１４４９６−１４で規定されたフォーマットであり、例えばフラッシュメモリ等にデータ記録を行う場合に適したフォーマットである。
【００３７】
昨今、利用されている多くの携帯端末は、ＭＰ４フォーマットに従って記録されたＭＰ４データを再生可能な再生アプリケーションを有しており、携帯端末のメディアにコンテンツを記録する場合、ＭＰ４形式で記録することが求められる場合が多い。
【００３８】
前述したＢＤに対するデータ記録フォーマットであるＢＤＭＶ（Ｂｌｕ−ｒａｙ（登録商標）  Ｄｉｓｃ  Ｍｏｖｉｅ）フォーマットは、ＭＰＥＧ−２ＴＳフォーマットに従って格納された画像や音声等の符号化データを構成要素とするＢＤ専用のフォーマットである。
【００３９】
なお、ＭＰＥＧ−２ＴＳフォーマットに従って格納が許容される画像、音声、静止画の符号化データは、例えば以下の符号化データである。
画像：ＭＰＥＧ−１、ＭＰＥＧ−２、ＡＶＣ（ＭＰＥＧ−４ＡＶＣ）、ＨＥＶＣ（ＭＰＥＧ−４ＨＥＶＣ）、
音声：ＭＰ１，ＭＰ２，ＭＰ３，リニアＰＣＭ，ＤＴＳ
静止画：ＪＰＥＧ
例えば上記の各符号化データがＭＰＥＧ−２ＴＳにおいて規定するＴＳ（トランスポートストリーム）パケットに分散して格納される。
【００４０】
まず、図２以下を参照して、ＢＤや放送に用いられるＭＰＥＧ−２ＴＳフォーマットについて説明する。
図２は、例えばＲＯＭ型のＢＤ（Ｂｌｕ−ｒａｙ（登録商標）  Ｄｉｓｃ）であるメディア５０に記録されたＢＤＭＶフォーマットに従った記録データのディレクトリを示す図である。
【００４１】
ディレクトリは図２に示すように管理情報設定部５１（ＡＡＣＳディレクトリ）と、データ部５２（ＢＤＭＶディレクトリ）に分離されている。
管理情報設定部５１（ＡＡＣＳディレクトリ）には、データの暗号化鍵であるＣＰＳユニットキーファイルや利用制御情報ファイルなどが格納される。
【００４２】
一方、データ部５２のＢＤＭＶディレクトリ以下には、
インデックスファイル、
プレイリストファイル、
クリップ情報ファイル、
クリップＡＶストリームファイル、
ＢＤＪＯファイル、
例えば、これらのファイルが記録される。
【００４３】
インデックスファイルには、再生処理に適用するインデックス情報としてのタイトル情報が格納される。
プレイリストファイルは、タイトルによって指定されの再生プログラムのプログラム情報に従ったコンテンツの再生順等を規定したファイルであり、再生位置情報を持クリップ情報に対する指定情報を有する。
クリップ情報ファイルは、プレイリストファイルによつて指定されるファイルであり、クリップＡＶストリームファイルの再生位置情報等を有する。
クリップＡＶストリームファイルは、再生対象となるＡＶストリームデータを格納したファイルである。
ＢＤＪＯファイルは、ＪＡＶＡ（登録商標）プログラム、コマンド等を格納したファイルの実行制御情報を格納したファイルである。
【００４４】
情報処理装置が情報記録媒体に記録されたコンテンツを再生するシーケンスは以下の通りである。
（ａ）まず、再生アプリケーションによってインデックスファイルから特定のタイトルを指定する。
（ｂ）指定されたタイトルに関連付けられた再生プログラムが選択される。
（ｃ）選択された再生プログラムのプログラム情報に従ってコンテンツの再生順等を規定したプレイリストが選択される。
（ｄ）選択されたプレイリストに規定されたクリップ情報によって、コンテンツ実データとしてのＡＶストリームあるいはコマンドが読み出されて、ＡＶストリームの再生や、コマンドの実行処理が行われる。
【００４５】
図３は、メディア５０に記録される以下のデータ、すなわち、
プレイリストファイル、
クリップ情報ファイル、
クリップＡＶストリームファイル、
これらのデータの対応関係を説明する図である。
【００４６】
実際の再生対象データである画像と音声データからなるＡＶストリームはクリップＡＶストリーム（Ｃｌｉｐ  ＡＶ  Ｓｔｒｅａｍ）ファイルとして記録され、さらに、これらのＡＶストリームの管理情報、再生制御情報ファイルとして、プレイリスト（ＰｌａｙＬｉｓｔ）ファイルと、クリップ情報（Ｃｌｉｐ  Ｉｎｆｏｒｍａｔｉｏｎ）ファイルが規定される。
【００４７】
これら複数のカテゴリのファイルは、図３に示すように、
プレイリスト（ＰｌａｙＬｉｓｔ）ファイルを含むプレイリストレイヤ、
クリップＡＶストリーム（Ｃｌｉｐ  ＡＶ  Ｓｔｒｅａｍ）ファイルと、クリップ情報（Ｃｌｉｐ  Ｉｎｆｏｒｍａｔｉｏｎ）ファイルからなるクリップレイヤ、
これらの２つのレイヤに区分できる。
【００４８】
なお、一つのクリップＡＶストリーム（Ｃｌｉｐ  ＡＶ  Ｓｔｒｅａｍ）ファイルには一つのクリップ情報（Ｃｌｉｐ  Ｉｎｆｏｒｍａｔｉｏｎ）ファイルが対応付けられ、これらのペアを一つのオブジェクトと考え、これらをまとめてクリップ（Ｃｌｉｐ）と呼ぶ場合もある。
クリップＡＶストリームファイルに含まれるデータの詳細情報、例えばＭＰＥＧデータのＩピクチャ位置情報などを記録したＥＰマップなどの管理情報がクリップ情報ファイルに記録される。
【００４９】
クリップＡＶストリーム（Ｃｌｉｐ  ＡＶ  Ｓｔｒｅａｍ）ファイルは、ＭＰＥＧ−２ＴＳ（トランスポートストリーム）をＢＤＭＶフォーマットの規定構造に従って配置したデータを格納している。この構成の詳細は図４を参照して後段で説明する。
【００５０】
また、クリップ情報（Ｃｌｉｐ  Ｉｎｆｏｒｍａｔｉｏｎ）ファイルには、例えば、クリップＡＶストリームファイルのバイト列データのデータ位置と、時間軸上に展開した場合の再生開始ポイントである（エントリポイント：ＥＰ）等の再生時間位置等の対応データ等、クリップＡＶストリームファイルの格納データの再生開始位置などを取得するための管理情報を格納している。
【００５１】
例えば、コンテンツの開始点からの再生時間経過位置を示すタイムスタンプが与えられた時、クリップ情報ファイルを参照して、クリップＡＶストリームファイルのデータ読み出し位置、すなわち再生開始点としてのアドレスを取得することが可能となる。
【００５２】
プレイリスト（ＰｌａｙＬｉｓｔ）ファイルは、クリップ（＝クリップ情報ファイル＋クリップＡＶストリームファイル）レイヤに含まれる再生可能データに対する再生区間の指定情報を有する。
プレイリスト（ＰｌａｙＬｉｓｔ）ファイルには、１つ以上のプレイアイテム（ＰｌａｙＩｔｅｍ）が設定され、プレイアイテムの各々が、クリップ（＝クリップ情報ファイル＋クリップＡＶストリームファイル）レイヤに含まれる再生可能データに対する再生区間の指定情報を有する。
【００５３】
再生対象となる画像や音声の実データを格納したクリップＡＶストリーム（Ｃｌｉｐ  ＡＶ  Ｓｔｒｅａｍ）ファイルは、例えば図４に示すようなＭＰＥＧ−２トランスポートストリーム（ＴＳ：Ｔｒａｎｓｐｏｒｔ  ｓｔｒｅａｍ）ファイル構造を持つ。
【００５４】
図４に示すように、ＭＰＥＧ−２ＴＳフォーマットは、以下の特徴を有する。
１）ＭＰＥＧ−２ＴＳファイルは、整数個のアラインドユニット（Ａｌｉｇｎｅｄ  ｕｎｉｔ）から構成される。
２）アラインドユニット（Ａｌｉｇｎｅｄ  ｕｎｉｔ）の大きさは、６ｋＢ（＝６１４４バイト（２０４８×３バイト））である。
３）アラインドユニット（Ａｌｉｇｎｅｄ  ｕｎｉｔ）は、ソースパケットの第一バイト目から始まる。
４）ソースパケットは、１９２バイト長である。一つのソースパケットは、ＴＰ＿ｅｘｔｒａ＿ｈｅａｄｅｒとＴＳパケットから成る。ＴＰ＿ｅｘｔｒａ＿ｈｅａｄｅｒは、４バイト長であり、またＴＳパケットは、１８８バイト長である。
【００５５】
５）ＴＳパケットはヘッダ（ＴＰヘッダ）とペイロード部を有する。１つのＴＳパケットのペイロードには画像、音声等、いずれか一種類のデータの符号化データが格納される。
６）ＴＳパケットのヘッダ（ＴＰヘッダ）にはペイロードのデータ種類を示すＰＩＤ（プログラムＩＤ）が記録される。
７）ＴＳパケットのペイロードは画像や音声等の符号化データであるエレメンタリストリーム（ＥＳ）を格納したパケット（パケタイズドエレメンタリストリーム（ＰＥＳ））とＰＥＳヘッダ等によって構成される。
８）ＰＥＳヘッダには、後続のＰＥＳパケットに格納されたエレメンタリストリーム（ＥＳ）の再生時間情報を示すプレゼンテーションタイムスタンプ（ＰＴＳ）が記録される。
【００５６】
さらに、図４（Ｅ）に示すように、ＴＳパケットのヘッダ情報には、以下の各データが格納される。
（ａ）同期用バイト（Ｓｙｎｃ  ｂｙｔｅ）
（ｂ）トランスポートエラー識別子（Ｔｒａｎｓｐｏｒｔ＿ｅｒｒｏｒ＿ｉｎｄｉｃａｔｏｒ）
（ｃ）ペイロードユニットスタート識別子（Ｐａｙｌｏａｄ＿ｕｎｉｔ＿ｓｔａｒｔ＿ｉｎｄｉｃａｔｏｒ）
（ｄ）トランスポートプライオリティ（Ｔｒａｎｓｐｏｒｔ＿ｐｒｉｏｒｉｔｙ）
（ｅ）プログラムＩＤ（ＰＩＤ）
（ｆ）トランスポートスクランブリングコントロール（Ｔｒａｎｓｐｏｒｔ  ｓｃｒａｍｂｌｉｎｇ  ｃｏｎｔｒｏｌ）
（ｇ）アダプテーションフィールドコントロール（Ａｄａｐｔａｔｉｏｎ  ｆｉｅｌｄ  ｃｏｎｔｒｏｌ）
（ｈ）コンティニュイティカウンタ（Ｃｏｎｔｉｎｕｉｔｙ  ｃｏｕｎｔｅｒ）
（ｉ）アダプテーションフィールド（Ａｄａｐｔａｔｉｏｎ  ｆｉｅｌｄ）
【００５７】
［２−２．ＭＰ４フォーマットについて］
次に、図５、図６を参照して、ＭＰ４フォーマットの概要について説明する。
図５には、ＩＳＯ／ＩＥＣ１４４９６−１４で規定されたＭＰ４フォーマットの例として、以下の２つの例を示している。
（ａ）フラグメンテッド（分割型）ＭＰ４ファイル（ｆｒａｇｍｅｎｔｅｄ  ｍｏｖｉｅ）
（ｂ）ノンフラグメンテッド（非分割型）ＭＰ４ファイル（Ｎｏｎ−ｆｒａｇｍｅｎｔｅｄ  ｍｏｖｉｅ）
これら図５（ａ），（ｂ）に示すＭＰ４ファイルは、ＭＰ４フォーマットに従ったデータの記録あるいは再生処理における１つの処理単位として設定されるファイルである。
【００５８】
（ａ）フラグメンテッド（分割型）ＭＰ４ファイル（ｆｒａｇｍｅｎｔｅｄ  ｍｏｖｉｅ）は、再生対象データである画像や音声などのデータを所定時間内の再生データごとに分割して格納したファイルフォーマットである。
（ｂ）ノンフラグメンテッド（非分割型）ＭＰ４ファイル（Ｎｏｎ−ｆｒａｇｍｅｎｔｅｄ  ｍｏｖｉｅ）は、再生対象データである画像や音声などのデータを分割せずに格納したファイルフォーマットである。
【００５９】
ＭＰ４ファイルは、ボックス（ｂｏｘ）単位の領域設定がなされ、各ボックスには、ボックス単位で定義されたデータが格納される。
各ボックスは、ボックスサイズ（ｂｏｘ−ｓｉｚｅ）、ボックスタイプ（ｂｏｘ−ｔｙｐｅ）、ボックスデータ（ｂｏｘ−ｄａｔａ）の各領域を有する。
ボックスサイズ（ｂｏｘ−ｓｉｚｅ）には、ボックスのデータ長（バイトサイズ）が記録される。
ボックスタイプ（ｂｏｘ−ｔｙｐｅ）には、ボックスに格納するデータの種類が記録される。
ボックスデータ（ｂｏｘ−ｄａｔａ）には、ボックスタイプで示される種類のデータが記録される。
【００６０】
図５（ａ）に示すフラグメンテッド（分割型）ＭＰ４ファイルには、以下のタイプのボックスが設定される。
ｍｏｏｖボックス、
ｔｒａｋボックス、
ｍｏｏｆボックス、
ｔｒａｆボックス、
ｍｄａｔボックス、
上記の各ボックスが設定される。
【００６１】
画像、音声、字幕等の再生対象データである実データはｍｄａｔボックスに分割して格納される。
また、ｍｄａｔボックスの各々にはｍｏｏｆボックスが対応付けられており、ｍｏｏｆボックスには、ｍｏｏｆボックスに対応付けられたｍｄａｔボックスに格納した分割実データに関する属性情報、再生制御情報等のメタデータを格納する。
【００６２】
図５（ａ）に示すフラグメンテッド（分割型）ＭＰ４ファイルは、再生対象データの分割データである実データ（ｍｄａｔ）と分割実データ対応のメタデータ（ｍｏｏｆ）を１つのセットデータとして、多数のセットデータを格納し、さらに、格納した複数のセットデータ全体に関するメタデータをｍｏｏｖボックスに格納した構成を有する。
【００６３】
分割実データ対応のメタデータ（ｍｏｏｆ）の内部には、ｔｒａｆボックスが設定される。
ｔｒａｆボックスには、対応付けられた実データ（ｍｄａｔ）の再生シーケンス情報等が格納される。
【００６４】
ｍｏｏｖボックスは、ＭＰ４ファイル全体に格納されたデータの再生制御情報等のメタデータの格納領域として設定されるボックスである。
ｍｏｏｖボックス内には、１つ以上のｔｒａｋボックスが設定される。ｔｒａｋボックスは、例えば画像、音声、字幕等のデータ種類別に設定可能であり、各データの再生シーケンス情報等を格納する。
【００６５】
なお、ＭＰ４ファイルに格納される再生データに複数の異なる画像データ、例えばＨＤ画像、４Ｋ画像等が含まれる場合には、これらの画像種類に応じて個別のｔｒａｋボックスを設定することが可能である。
また、ＭＰ４ファイルの格納音声データに複数の異なる音声データ、例えば日本語音声、英語音声等が含まれる場合には、これらの音声種類に応じて個別のｔｒａｋボックスを設定可能である。
同様に、ＭＰ４ファイルの格納字幕データに複数の異なる字幕データ、例えば日本語字幕、英語字幕等が含まれる場合には、これらの字幕種類に応じて個別のｔｒａｋボックスを設定可能である。
【００６６】
（ｂ）ノンフラグメンテッド（非分割型）ＭＰ４ファイル（Ｎｏｎ−ｆｒａｇｍｅｎｔｅｄ  ｍｏｖｉｅ）は、再生対象データである画像や音声などのデータを分割せずに格納したファイルフォーマットである。
図５（ｂ）に示すノンフラグメンテッド（非分割型）ＭＰ４ファイルには、以下のタイプのボックスが設定される。
ｍｏｏｖボックス、
ｔｒａｋボックス、
ｍｄａｔボックス、
上記の各ボックスが設定される。
【００６７】
ｍｄａｔボックスには、再生対象となる実データが格納される。
ｍｏｏｖボックスには、再生対象データである実データ（ｍｄａｔ）に対応して設定されるメタデータ、例えば再生対象実データ（ｍｄａｔ）の属性や再生制御情報を含むメタデータが格納される。
ｍｏｏｖボックス内に設定されるｔｒａｋボックスには、実データ（ｍｄａｔ）の再生シーケンス情報等が格納される。
【００６８】
前述の（ａ）フラグメンテッド（分割型）ＭＰ４ファイルと同様、（ｂ）ノンフラグメンテッド（非分割型）ＭＰ４ファイルに設定されるｍｏｏｖボックス内にも１つ以上のｔｒａｋボックスが設定される。各ｔｒａｋボックスは、例えば画像、音声、字幕等のデータ種類別に設定される。
【００６９】
図５は、ＭＰ４フォーマットの基本構成例を示している。
ＭＰ４フォーマットに関する規格化団体であるＤＥＣＥ（Ｄｉｇｉｔａｌ  Ｅｎｔｅｒｔａｉｎｍｅｎｔ  Ｃｏｎｔｅｎｔ  Ｅｃｏｓｙｓｔｅｍ）は、ＭＰ４ベースの新たなファイルフォーマットとしてＣＦＦ（Ｃｏｍｍｏｎ  Ｆｉｌｅ  Ｆｏｒｍａｔ）を規格化した。このＣＦＦについて、図６を参照して説明する。
【００７０】
図６に示すＣＦＦ（Ｃｏｍｍｏｎ  Ｆｉｌｅ  Ｆｏｒｍａｔ）は、基本的には、図５（ａ）を参照して説明した分割型（ｆｒａｇｍｅｎｔｅｄ  ｍｏｖｉｅ）ＭＰ４と同様のデータ構成を有する。
【００７１】
すなわち、図６に示すＣＦＦ（Ｃｏｍｍｏｎ  Ｆｉｌｅ  Ｆｏｒｍａｔ）ファイルには、先に説明した図５（ａ）のフラグメンテッド（分割型）ＭＰ４ファイルと同様、以下の各ボックスが設定される。
ｍｏｏｖボックス、
ｔｒａｋボックス、
ｍｏｏｆボックス、
ｔｒａｆボックス、
ｍｄａｔボックス、
上記の各ボックスが設定される。
【００７２】
各ボックスの格納データは、図５（ａ）のフラグメンテッド（分割型）ＭＰ４ファイルとほぼ同様である。
ただし、ＣＦＦでは、各ｍｄａｔボックスには、１つの種類のデータのみを格納するという制約が設けられている。
すなわち、各ｍｄａｔボックスには、
（ａ）画像
（ｂ）音声
（ｃ）字幕
これらのデータのいずれか一種類のデータを格納する。上記（ａ）〜（ｃ）のデータを混在させて格納してはならないという制約がある。
【００７３】
なお、ＣＦＦファイルに複数の異なる画像データ、例えばＨＤ画像、４Ｋ画像等が含まれる場合には、これらの異なる画像は、異なるｍｄａｔボックスに格納する。
同様に、異なる音声データ、例えば日本語音声、英語音声等についても個別のｍｄａｔボックスに格納し、日本語字幕、英語字幕等についても異なるｍｄａｔボックスに格納する。
【００７４】
図５（ａ）に示す一般的なフラグメンテッド（分割型）ＭＰ４ファイルでは、１つの分割データ（フラグメント）の格納ボックスとして設定されるｍｄａｔボックスに、画像、音声、字幕等の異なる種類のデータを混在させて格納することが許容されていた。
しかし、図６に示すＣＦＦ（Ｃｏｍｍｏｎ  Ｆｉｌｅ  Ｆｏｒｍａｔ）では、１つのｍｄａｔボックスには、１つの種類のデータのみしか格納してはならないという制約が設けられている。
【００７５】
すなわち、画像、音声、または字幕のいずれか一種類のデータのみが各ｍｄａｔボックスに個別に格納される。
従ってｍｄａｔボックス対応のメタデータ格納領域であるｍｏｏｆボックスも、画像、音声、字幕いずれか一種類のデータに対応して設定されるメタデータを格納する設定となる。
【００７６】
なおＭＰ４フォーマットのデータ部であるｍｄａｔボックスの格納データは、基本データ単位としてのサンプル（ｓａｍｐｌｅ）に区分される。
ＣＦＦ（Ｃｏｍｍｏｎ  Ｆｉｌｅ  Ｆｏｒｍａｔ）では、１つのｍｄａｔボックスには画像サンプルのみの集合、あるいは音声サンプルのみの集合、または字幕サンプルのみの集合、いずれか同一種類のデータサンプルの集合が格納されることになる。
【００７７】
さらに、ＤＥＣＥの規定したＣＦＦでは、ＣＦＦファイルに格納することを許容する画像、音声、字幕の符号化態様（コーデック）やデータ形式についても規定している。
ＣＦＦファイルに格納することが許容されるデータ形式には、例えば、以下のデータ形式がある。
画像（Ｖｉｄｅｏ）：ＡＶＣ（ＭＰＥＧ−４ＡＶＣ）、ＨＥＶＣ（ＭＰＥＧ−４ＨＥＶＣ）、
音声（Ａｕｄｉｏ）：ＭＰＥＧ−４−ＡＡＣ、Ｄｏｌｂｙ、ＡＣ−３
字幕（ｓｕｂｔｉｔｌｅ）：ＳＭＰＴＥ  Ｔｉｍｅｄ  Ｔｅｘｔ（ＳＭＰＴＥ−ＴＴ）
【００７８】
［２−３．ＭＰＥＧ−２ＴＳをＭＰ４に変換する処理について］
次に、例えばＢＤ（Ｂｌｕ−ｒａｙ（登録商標）  Ｄｉｓｃ）に記録されたＭＰＥＧ−２ＴＳフォーマットデータ、あるいは、ネットワークや放送波を介して入力するＭＰＥＧ−２ＴＳフォーマットデータを、ＭＰ４フォーマットに変換してフラッシュメモリ等のメディアに記録する処理の概要について説明する。
【００７９】
ＭＰＥＧ−２ＴＳフォーマットデータをＭＰ４フォーマットデータに変換して記録する場合の処理について、図７を参照して説明する。
図７に示すように、フォーマット変換処理を伴うデータコピー記録処理を実行する情報処理装置６０が、コピー元データとしてのＭＰＥＧ−２ＴＳフォーマットデータを記録した第１メディア５０と、コピー先となる、例えばＭＰ４フォーマットデータを記録する第２メディア８０を装着し、さらに、サーバ７０と接続する。
情報処理装置６０は、ＭＥＧ−２ＴＳフォーマットデータを記録した第１メディア５０から変換対象のデータの識別情報を取得し、取得した識別情報をサーバ７０に送信する。
【００８０】
サーバ７０は、識別情報に基づいて、コピー許可情報を生成して情報処理装置６０に送信する。
情報処理装置６０は、サーバ７０からコピー許可情報を受信したことを条件としてフォーマット変換処理を伴うデータコピー記録処理を開始する。
すなわち、第１２メディア５０から、ＭＰＥＧ−２ＴＳフォーマットデータを読み出して、ＭＰ４フォーマットデータへの変換を実行して第２メディア８０に記録する。
【００８１】
図８は、フォーマット変換を伴う記録処理シーケンスについて説明するシーケンス図である。
図８に示す情報処理装置６０が、ＭＰＥＧ−２ＴＳフォーマットからＭＰ４フォーマットへのフォーマット変換を実行する。
第１メディア５０は、例えばＢＤ（Ｂｌｕ−ｒａｙ（登録商標）Ｄｉｓｃ）である。
第１メディア５０は、暗号化コンテンツ５８の他、メディア固有の識別子であるメディアＩＤ５６、コンテンツの識別子であるコンテンツＩＤ５７等を格納している。メディアＩＤ５６は、例えば、メディア（ディスク）に書き換え困難な物理的記録処理によって記録されるＰＭＳＮ（Ｐｒｅｒｅｃｏｒｄｅｄｅ）  Ｍｅｄｉａ  Ｓｅｒｉａｌ  Ｎｕｍｂｅｒ）である。
【００８２】
情報処理装置６０は、第１メディア５０からＭＰＥＧ−２ＴＳフォーマットに従って記録されたコンテンツ５８を読み取り、フォーマット変換を実行してＭＰ４フォーマットデータを生成して第２メディア８０に記録する。
第２メディア８０は、例えばＳＤカード等のフラッシュメモリなどによって構成される。
【００８３】
情報処理装置６０は、第１メディア５０、第２メディア８０の２つのメディアを装着して、第１メディア５０から読み取ったコンテンツ５８のフォーマット変換を行い、フォーマット変換によって生成したＭＰ４フォーマットデータを第２メディア８０に記録する。
以下、各ステップの処理について、順次、説明する。
【００８４】
（ステップＳ１０１）
第１メディア５０と、第２メディア８０を装着した情報処理装置６０は、まず、ステップＳ１０１において、コピー管理を実行するサーバ７０との認証処理を実行する。
サーバ７０は、第１メディア５０に記録されたコンテンツの管理を行うサーバであり、情報処理装置６０は、サーバ７０からのコピー許可情報としてのエクスポート許可通知（＝コピー許可通知）を受領したことを条件として、第１メディア５０に記録されたデータ（コンテンツ５８）を他のメディアに記録（コピー）することができる。
【００８５】
ステップＳ１０１において、情報処理装置６０は、サーバ７０との認証処理を実行する。
例えば公開鍵暗号方式に従った相互認証を実行する。
情報処理装置６０は、自装置のメモリに格納した公開鍵証明書（Ｄｅｖｉｃｅ  Ｃｅｒｔ）をサーバ７０に送信する。
サーバ７０もサーバの公開鍵証明書（Ｓｅｒｖｅｒ  Ｃｅｒｔ）を情報処理装置６０に提供する。
これらの公開鍵証明書の交換を伴う処理によって、双方の正当性を確認する相互認証処理が実行される。
【００８６】
なお、この相互認証処理に際して、あるいは相互認証処理の成立後、情報処理装置６０は、装着した第１メディア５０から読み取ったメディアＩＤ５６、またはコンテンツＩＤ５７をサーバ７０に送信する。
これは、第１メディア５０に格納されたコピー対象となるコンテンツ５８を特定するためのデータとして利用される。
サーバ７０は、メディアＩＤ５６、またはコンテンツＩＤ５７に基づいてコピー対象コンテンツを特定し、コピー許可を行うか否かを判定する。
【００８７】
ステップＳ１０１の相互認証処理が成立し、双方の機器の正当性が確認されると、ステップＳ１０２に進む。
なお、相互認証が不成立となった場合は、ステップＳ１０２の処理は実行されない。すなわち、情報処理装置６０はサーバ７０からエクスポート許可（コピー許可）通知を受信できず、コンテンツのコピー処理を行うことができない。
【００８８】
（ステップＳ１０２〜Ｓ１０３）
ステップＳ１０１の相互認証処理が成立し、双方の機器の正当性が確認されると、ステップＳ１０２に進む。
ステップＳ１０２では、サーバ７０が情報処理装置６０に対して、エクスポート許可（コピー許可）を通知する。すなわち、第１メディア５０に記録されたコンテンツを第２メディア８０に記録することを許容する許可情報である。
このステップＳ１０２におけるエクスポート許可（コピー許可）通知処理に際して、サーバ７０は、情報処理装置６０に対して、フォーマット変換を伴うコピー処理に必要となる様々なデータを提供する。具体的には、例えば、再暗号鍵などを送信する。
この再暗号鍵は、第２メディア８０に格納するＭＰ４フォーマットデータを構成するコンテンツの暗号化に用いる鍵である。
【００８９】
情報処理装置６０は、第１メディア５０から読み出したコンテンツ２０１を復号し、復号コンテンツに対してＭＰ４フォーマットの規定に従った暗号化処理を実行して生成した暗号化コンテンツを第２メディア８０に記録する。再暗号化鍵は、このＭＰ４フォーマットの規定に従った暗号化処理を実行するために適用する鍵である。
【００９０】
なお、ステップＳ１０３において、サーバ７０から情報処理装置６０に提供するデータは、例えば、相互認証処理によって共有されるセッション鍵によって暗号化して提供する構成とすることが好ましい。
【００９１】
（ステップＳ１０４）
サーバ７０からエクスポート許可（コピー許可）通知を受領し、さらに、再暗号鍵等のデータを受領した情報処理装置６０は、受領データや、第１メディア５０の記録データを利用して、第１メディア５０に記録されたコンテンツ５８のフォーマット変換を伴うデータ記録処理を実行する。
なお、情報処理装置６０は、再生対象データのみならず、その他の再生制御情報等についても、第１メディア５０の記録データをＭＰ４フォーマットデータに変換して記録する処理を実行する。
【００９２】
［３．音声電子透かしの検出要否情報の利用構成について］
例えば、上述したフォーマット変換を伴うコンテンツコピー処理において、コピー元データであるＭＰＥＧ−２ＴＳフォーマットデータに音声電子透かしが記録されている場合、この音声電子透かしは、フォーマット変換後のＭＰ４フォーマットデータにもそのまま残ることになる。
【００９３】
コピー処理後のＭＰ４フォーマットデータを再生する再生アプリケーションは、コンテンツ中の電子透かしの検出を実行し、ＭＰＥＧ−２ＴＳフォーマット再生アブリケーションと同様の再生制御を行うと、正常なコンテンツ再生が妨げられる可能性がある。
【００９４】
このような事態を防止するため、ＭＰ４フォーマットデータを再生する再生アプリケーションに対して、音声電子透かしの検出要否を通知するための構成を設ける。
具体例について、図９を参照して説明する。
【００９５】
図９には、ＭＰ４フォーマットデータの記録、再生処理を実行する情報処理装置１２０が、情報処理装置１２０に装着されたメディア１２１に対して実行する様々なデータ記録処理例と、メディア１２１からの記録データの再生処理例を示している。
コンテンツ記録処理例として、以下の３つの処理例を示している。
（ａ１）ＭＰＥＧ−２ＴＳフォーマットデータを記録したディスク（ＢＤ−ＲＯＭ）１１１から読み出した暗号化コンテンツ１（タイトル＃１）をＡＡＣＳ規定に従った正当な処理によりフォーマット変換して記録する処理
（ａ２）放送局１１２の送信する放送コンテンツである暗号化コンテンツ２（タイトル＃２）を記録する処理
（ａ３）ユーザのビデオカメラ１１３に記録さたれ撮影コンテンツである非暗号化コンテンツ３（タイトル＃３）を記録する処理
【００９６】
情報処理装置１２０には、例えば、上記（ａ１）〜（ａ３）の記録処理によって、様々なタイプのコンテンツが記録される。なお、上記（ａ２），（ａ３）の場合は、元データがＭＰＥＧ−２ＴＳデータである場合は、ＭＰ４フォーマットへのフォーマット変換を実行して記録する処理を行なうことになる。元データがＭＰ４フォーマットデータである場合は、そのまま記録する処理を行なうことになる。
【００９７】
上記処理（ａ１）〜（ａ３）中、（ａ１），（ａ２）の処理によって記録されたコンテンツ（タイトル＃１，＃２）は、正当なコンテンツ記録処理として実行されるものであり、情報処理装置１２０における記録コンテンツ、すなわちＭＰ４フォーマットを持つコンテンツの再生は正常に実行されるべきコンテンツである。
しかし、（ａ３）の処理に従って記録されたコンテンツ（タイトル＃３）は、例えばユーザが映画館の上映コンテンツを不正に記録したコンテンツである可能性もある。従って、再生時には、音声電子透かし（Ｎｏ  Ｈｏｍｅ  Ｕｓｅ  Ｍａｒｋ）の検出を実行して、音声電子透かし（Ｎｏ  Ｈｏｍｅ  Ｕｓｅ  Ｍａｒｋ）が検出された場合には、再生を停止すべきである。
【００９８】
図９（Ｂ）には、これらの記録データの再生処理において、音声電子透かしの検出を行うか否かの設定例を示している。上記（ａ１）〜（ａ３）の各データの記録処理に対応する再生処理として、以下の（ｂ１）〜（ｂ３）の再生処理を示している。
（ｂ１）ＭＰＥＧ−２ＴＳフォーマットデータを記録したディスク（ＢＤ−ＲＯＭ）１１１から読み出した暗号化コンテンツ１（タイトル＃１）をＡＡＣＳ規定に従って正当にフォーマット変換して記録した暗号化コンテンツ１（タイトル＃１）の復号、再生処理
（ｂ２）放送局１１２の送信する放送コンテンツである暗号化コンテンツ２（タイトル＃２）の復号、再生処理
（ｂ３）ユーザのビデオカメラ１１３に記録さたれ撮影コンテンツである非暗号化コンテンツ３（タイトル＃３）の復号、再生処理
【００９９】
これら（ｂ１）〜（ｂ３）の再生処理において、（ｂ１），（ｂ２）は、正当なコンテンツの記録処理（（ａ１），（ａ２））によって記録されたコンテンツの再生処理である。
従って、これらのコンテンツから音声電子透かしが検出されても、再生を停止すべきではなく、正常なコンテンツの再生が実行されるべきである。
具体的な処理としては、音声電子透かしの検出処理を省略した再生処理を行なうことが許容されるコンテンツである。
【０１００】
一方、（ｂ３）は、例えば映画館の上映コンテンツの不正記録等の不正コンテンツの記録処理（ａ３）によって記録されたコンテンツの再生処理である。
従って、再生時には、音声電子透かし（Ｎｏ  Ｈｏｍｅ  Ｕｓｅ  Ｍａｒｋ）の検出を実行して、音声電子透かし（Ｎｏ  Ｈｏｍｅ  Ｕｓｅ  Ｍａｒｋ）が検出された場合には、再生を停止すべきコンテンツである。
【０１０１】
このように、コンテンツ再生を実行する情報処理装置は、記録コンテンツに応じて音声電子透かしを検出して検出結果に応じた対応処理を実行するか、またはこれらの処理をほ省略した再生制御を行うことが必要となる。
具体的には、情報処理装置に対して、例えば、以下のような、コンテンツ再生制御を実行させることが必要である。
再生処理（ｂ１），（ｂ２）では、情報処理装置１２０の実行するＭＰ４再生アプリケーションに対して、音声電子透かしの検出を省略、または検出結果に応じた対応処理を省略した再生制御を実行させる。
再生処理（ｂ３）では、情報処理装置１２０の実行するＭＰ４再生アプリケーションに対して、音声電子透かしの検出を実行し検出結果に応じた対応処理を伴う再生制御を実行させる。
これらの再生制御を実行させるための構成について、以下、説明する。
【０１０２】
［４．音声電子透かしの検出要否情報を利用した処理について］
図９を参照して説明したように、ＭＰ４フォーマットデータの再生処理においては、コンテンツに応じて、音声電子透かしの検出を実行するか否かを決定して再生処理を行なう必要がある。
【０１０３】
ＭＰ４フォーマットデータの再生処理を実行する再生装置や再生アプリケーションは、例えば、再生対象となるコンテンツ単位で、音声電子透かしを検出して検出結果に応じた対応処理を伴うコンテンツ再生を実行するか、音声電子透かしの検出を省略、または検出結果に応じた処理を省略したコンテンツ再生を実行するかを決定する必要がある。
【０１０４】
以下、この決定に必要となる音声電子透かし検出要否情報を、以下の各データに記録した処理例について、順次、説明する。
（１）コンテンツ証明書（Ｃｏｎｔｅｎｔ  Ｃｅｒｔ）
（２）コンテンツ利用制御情報ファイル（Ｃｏｎｔｅｎｔ  Ｕｓａｇｅ  Ｒｕｌｅ  Ｆｉｌｅ）
（３）タイトル鍵ファイル（Ｔｉｔｌｅ  Ｋｅｙ  Ｆｉｌｅ）
【０１０５】
ＭＰ４フォーマットデータの再生処理を実行する再生装置や再生アプリケーションは、上記の（１）〜（３）のいずれかのデータを参照して、コンテンツ再生時に音声電子透かしの検出を実行するか否かを決定する。
以下、上記（１）〜（３）の各データに音声電子透かし検出要否情報を記録した場合の処理例について、順次、説明する。
【０１０６】
［４−１．コンテンツ証明書（Ｃｏｎｔｅｎｔ  Ｃｅｒｔ）に音声電子透かし検出要否情報を記録した処理例について］
コンテンツ証明書（Ｃｏｎｔｅｎｔ  Ｃｅｒｔ）は、コンテンツの正当性を証明するための証明書であり、例えばコンテンツの構成データに基づくハッシュ値等を格納し、コンテンツ管理処理を実行する期間の運営するライセンスサーバの電子署名が付与された証明書である。
【０１０７】
図１０を参照して、ＭＰＥＧ−２ＴＳフォーマットデータを記録したディスク（ＢＤ−ＲＯＭ）１１１からコンテンツを読み取り、ＭＰ４フォーマットデータに対するフォーマット変換を実行して情報処理装置（ＭＰ４再生装置）１２０内のメディア１２１に記録する処理のシーケンスについて説明する。
【０１０８】
情報処理装置１２０は、ステップＳ３０１において、ＭＰＥＧ−２ＴＳフォーマットデータを記録したディスク（ＢＤ−ＲＯＭ）１１１からコンテンツ（タイトル＃１）を読み取り、ＭＰ４フォーマットデータに対するフォーマット変換を実行して情報処理装置（ＭＰ４再生装置）１２０内のメディア１２１に記録する。
【０１０９】
このコンテンツ記録処理に併せて、情報処理装置１２０は、ステップＳ３０２において、ライセンスサーバ２００から、図に示すコンテンツ証明書２１０を受信し、情報処理装置（ＭＰ４再生装置）１２０内のメディア１２１に記録コンテンツに対応付けて記録する。
なお、コンテンツをメディア１２１に記録する際に実行するサーバとの通信シーケンスは、図８を参照して説明したシーケンスと同様のシーケンスである。
例えば、図８に示すステップＳ１０３において、情報処理装置１２０は、ライセンスサーバ２００から、図に示すコンテンツ証明書２１０を受信する。
【０１１０】
コンテンツ証明書２１０は、
（ａ）コンテンツのハッシュ値
（ｂ）音声電子透かし（ＷＭ）検出免除フラグ
（ｃ）電子署名
これらのデータを含む証明書として構成される。
【０１１１】
（ａ）コンテンツのハッシュ値は、情報処理装置１２０が、ディスク（ＢＤ−ＲＯＭ）１１１から読み取り、情報処理装置（ＭＰ４再生装置）１２０内のメディア１２１に記録するコンテンツ（タイトル＃１）の構成データに基づいて生成されるハッシュ値である。
情報処理装置１２０は、コンテンツの再生時に、再生対象コンテンツの構成データからハッシュ値を生成し、生成したハッシュ値が、コンテンツ証明書に記録されたハッシュ値と一致するか否かを確認する。一致することが確認された場合にのみ再生が許容される。一致しない場合は、情報処理装置（ＭＰ４再生装置）１２０内のメディア１２１に記録されたコンテンツが不正コンテンツであると判定し、再生は停止される。
【０１１２】
（ｂ）音声電子透かし（ＷＭ）検出免除フラグは、ディスク（ＢＤ−ＲＯＭ）１１１から読み取り、情報処理装置（ＭＰ４再生装置）１２０内のメディア１２１に記録したコンテンツ（タイトル＃１）の再生時に音声電子透かしの検出を実行するか否かを指示するためのフラグである。
すなわち、音声電子透かしを検出し、検出結果に応じた対応処理を伴うコンテンツ再生を実行するか、音声電子透かしの検出を省略、または検出結果に応じた対応処理を省略したコンテンツ再生を実行するかを再生装置に指示するためのフラグである。
【０１１３】
例えば、
音声電子透かし検出要の場合：フラグ設定値＝１
音声電子透かし検出不要の場合：フラグ設定値＝０
このようなフラグの値が設定される。
【０１１４】
（ｃ）電子署名は、（ａ）コンテンツのハッシュ値、（ｂ）音声電子透かし（ＷＭ）検出免除フラグ、その他のコンテンツ証明書構成データに基づいて、ライセンスサーバの秘密鍵を適用して生成される電子署名データである。
電子署名は、コンテンツ証明書の改ざん防止のために設定される。
【０１１５】
コンテンツ再生を実行する情報処理装置１２０は、コンテンツ再生処理を開始する前に、再生対象コンテンツに対応付けられたコンテンツ証明書をメディア１２１から読み出し、電子署名の署名検証を実行して、コンテンツ証明書の改ざんがないことを確認し、コンテンツ証明書の正当性を確認する。
なお、電子署名の検証は、例えば、ライセンスサーバの公開鍵を用いて実行する。
【０１１６】
電子署名の検証が成立し、コンテンツ証明書の正当性が確認された後、コンテンツ証明書に格納されたデータに基づく処理を実行する。具体的には、以下の処理を実行する。
（１）コンテンツハッシュ値を用いたコンテンツの正当性確認処理
（２）音声電子透かし（ＷＭ）検出免除フラグの設定値に基づく音声電子透かしの検出処理の実行要否判定処理
【０１１７】
図１０に示すように、情報処理装置１２０は、ステップＳ３０２において、コンテンツ記録処理に併せて、ライセンスサーバ２００から、図に示すコンテンツ証明書２１０を受信し、情報処理装置（ＭＰ４再生装置）１２０内のメディア１２１に記録する。
【０１１８】
図１１は、図１０を参照して説明したシーケンスに従って情報処理装置（ＭＰ４再生装置）１２０内のメディア１２１に記録されたコンテンツを再生する際のシーケンスを説明する図である。
【０１１９】
情報処理装置１２０に対しユーザが再生コンテンツの指定情報を入力すると、情報処理装置１２０は、ステップＳ３２１において、再生指定コンテンツに対応するコンテンツ証明書２１０をメディア１２１から読み取る。
【０１２０】
コンテンツ証明書２１０には、以下のデータが記録されている。
（ａ）コンテンツのハッシュ値
（ｂ）音声電子透かし（ＷＭ）検出免除フラグ
（ｃ）電子署名
【０１２１】
情報処理装置１２０は、ステップＳ３２２において、電子署名の署名検証と、音声電子透かし（ＷＭ）検出免除フラグの確認処理等を実行する。
具体的には、まず、電子署名の署名検証を実行して、コンテンツ証明書の改ざんがないことを確認し、コンテンツ証明書の正当性を確認する。電子署名の検証は、例えば、ライセンスサーバの公開鍵を用いて実行する。
電子署名の検証が成立し、コンテンツ証明書の正当性が確認された後、コンテンツ証明書に格納されたデータに基づく処理を実行する。具体的には、以下の処理を実行する。
（１）コンテンツハッシュ値を用いたコンテンツの正当性確認処理
（２）音声電子透かし（ＷＭ）検出免除フラグの設定値に基づく音声電子透かしの検出処理の実行要否判定処理
【０１２２】
（１）コンテンツハッシュ値を用いたコンテンツの正当性確認処理は以下の処理である。
情報処理装置１２０は、コンテンツの再生時に、再生対象コンテンツの構成データからハッシュ値を生成し、生成したハッシュ値が、コンテンツ証明書に記録されたハッシュ値と一致するか否かを確認する。一致することが確認された場合にのみ再生を実行する。一致しない場合は、情報処理装置（ＭＰ４再生装置）１２０内のメディア１２１に記録されたコンテンツが不正コンテンツであると判定し、再生を停止する。
【０１２３】
（２）音声電子透かし（ＷＭ）検出免除フラグの設定値に基づく音声電子透かしの検出処理の実行要否判定処理は以下の処理である。
前述したように、（２）音声電子透かし（ＷＭ）検出免除フラグは、情報処理装置（ＭＰ４再生装置）１２０内のメディア１２１に記録したコンテンツ（タイトル＃１）の再生時に音声電子透かしの検出や、検出結果に応じた対応処理を実行するか否かを指示するためのフラグである。
すなわち、音声電子透かしを検出し、検出結果に応じた対応処理を伴うコンテンツ再生を実行するか、音声電子透かしの検出を省略、または検出結果に応じた対応処理を省略したコンテンツ再生を実行するかを再生装置に指示するためのフラグである。
【０１２４】
例えば、
音声電子透かし検出要の場合：フラグ設定値＝１
音声電子透かし検出不要の場合：フラグ設定値＝０
このようなフラグの値が設定される。
【０１２５】
情報処理装置１２０は、コンテンツ証明書２１０に記録された音声電子透かし（ＷＭ）検出免除フラグの設定値を確認して、コンテンツの再生時に音声電子透かし（ＷＭ）検出を実行するか省略するかを決定する。
【０１２６】
情報処理装置１２０は、
コンテンツ証明書２１０に記録されたデータに基づく処理、すなわち、
（１）コンテンツハッシュ値を用いたコンテンツの正当性確認処理
（２）音声電子透かし（ＷＭ）検出免除フラグの設定値に基づく音声電子透かしの検出処理の実行要否判定処理
これらの処理の完了後に、ステップＳ３２３において、メディア１２１から読み出したコンテンツ（タイトル＃１）を復号し、再生処理を開始する。
【０１２７】
なお、この再生処理に際して、情報処理装置１２０は、コンテンツ証明書２１０に記録された音声電子透かし（ＷＭ）検出免除フラグの設定値に従って、音声電子透かしの検出を伴う再生処理、または伴わない再生処理を実行する。
【０１２８】
例えば、図１０を参照して説明したフォーマット変換を伴うコンテンツコピー記録処理においてメディア１２１に記録されるＭＰ４コンテンツが、正当なコピー記録処理であるとラインスサーバ２００が認定した場合、ライセンスサーバ２００は、音声電子透かし（ＷＭ）検出免除フラグの設定値を音声電子透かし検出不要の設定値として記録したコンテンツ証明書２１０を発行する。
情報処理装置１２０は、このコンテンツ証明書に従って音声電子透かしの検出を行うことなく、コンテンツ再生を実行する。
従って、再生コンテンツ中に音声電子透かしが記録されていても、情報処理装置１２０が音声電子透かしの検出に基づいてコンテンツ再生を誤って停止してしまう事態が発生しない。
【０１２９】
なお、図１０、図１１を参照して説明した処理例は、ディスク（ＢＤ−ＲＯＭ）１１１の記録コンテンツをフォーマット変換したメディア１２１に記録する例と、再生する例であるが、その他のコンテンツ、例えば、図９を参照して説明した放送局１１２の配信コンテンツや、ビデオカメラ１１３のコンテンツをメディア１２１に記録し、再生する処理に際しても同様の処理が可能である。
【０１３０】
すなわち、情報処理装置１２０は、メディア１２１に記録するコンテンツを識別可能な情報をライセンスサーバ２００に送信し、ライセンスサーバから記録コンテンツに関する再生時の音声電子透かし検出が必要か不要かを示す音声電子透かし（ＷＭ）検出免除フラグを含むコンテンツ証明書を受領して、コンテンツに対応付けてメディア１２１に記録する。
【０１３１】
また、情報処理装置１２０は、コンテンツ再生時に、再生コンテンツに対応付けられたコンテンツ証明書の音声電子透かし（ＷＭ）検出免除フラグの設定値を確認し、確認された値に従って音声電子透かし（ＷＭ）の検出を伴う再生処理、または省略した再生処理を実行することができる。
【０１３２】
［４−２．コンテンツ利用制御情報ファイル（Ｃｏｎｔｅｎｔ  Ｕｓａｇｅ  Ｒｕｌｅ  Ｆｉｌｅ）に音声電子透かし検出要否情報を記録した処理例について］
次に、コンテンツ利用制御情報ファイル（Ｃｏｎｔｅｎｔ  Ｕｓａｇｅ  Ｒｕｌｅ  Ｆｉｌｅ）に音声電子透かし検出要否情報を記録した処理例について説明する。
【０１３３】
コンテンツ利用制御情報ファイル（Ｃｏｎｔｅｎｔ  Ｕｓａｇｅ  Ｒｕｌｅ  Ｆｉｌｅ）は、コンテンツの利用制御情報（Ｕｓａｇｅ  Ｒｕｌｅ）、具体的には、例えばコピーが許容されるコンテンツであるか否か、さらにコピー許容回数など、コンテンツに対して許容される利用態様情報等を記録したファイルである。
このコンテンツ利用制御情報ファイルも、コンテンツ証明書と同様、コンテンツ管理処理を実行する期間の運営するライセンスサーバの電子署名が付与され、改ざん検証可能な構成を持つ。
【０１３４】
図１２を参照して、ＭＰＥＧ−２ＴＳフォーマットデータを記録したディスク（ＢＤ−ＲＯＭ）１１１からコンテンツを読み取り、ＭＰ４フォーマットデータに対するフォーマット変換を実行して情報処理装置（ＭＰ４再生装置）１２０内のメディア１２１に記録する処理のシーケンスについて説明する。
【０１３５】
情報処理装置１２０は、ステップＳ４０１において、ＭＰＥＧ−２ＴＳフォーマットデータを記録したディスク（ＢＤ−ＲＯＭ）１１１からコンテンツ（タイトル＃１）を読み取り、ＭＰ４フォーマットデータに対するフォーマット変換を実行して情報処理装置（ＭＰ４再生装置）１２０内のメディア１２１に記録する。
【０１３６】
このコンテンツ記録処理に併せて、情報処理装置１２０は、ステップＳ４０２において、ライセンスサーバ２００から、図に示すコンテンツ利用制御情報ファイル２２０を受信し、情報処理装置（ＭＰ４再生装置）１２０内のメディア１２１に記録する。
なお、コンテンツをメディア１２１に記録する際のサーバとの通信シーケンスは、図８を参照して説明したシーケンスと同様のシーケンスである。
例えば、図８に示すステップＳ１０３において、情報処理装置１２０は、ライセンスサーバ２００から、図に示すコンテンツ利用制御情報ファイル２２０を受信する。
【０１３７】
コンテンツ利用制御情報ファイル２２０は、
（ａ）コンテンツ利用制御情報（Ｕｓａｇｅ  Ｒｕｌｅ）
（ｂ）音声電子透かし（ＷＭ）検出免除フラグ
（ｃ）電子署名
これらのデータを含むファイルとして構成される。
【０１３８】
（ａ）コンテンツ利用制御情報は、情報処理装置１２０が、ディスク（ＢＤ−ＲＯＭ）１１１から読み取り、情報処理装置（ＭＰ４再生装置）１２０内のメディア１２１に記録するコンテンツ（タイトル＃１）に対して許容される利用態様、例えばコピー処理の可否、許容されるコピー回数等のデータによって構成される。
情報処理装置１２０は、コンテンツの再生処理やコピー処理時に、処理対象コンテンツに対応するコンテンツ利用制御情報ファイルを読み取り、コンテンツ利用制御情報（Ｕｓａｇｅ  Ｒｕｌｅ）を確認して、許容される処理のみを実行する。
【０１３９】
（ｂ）音声電子透かし（ＷＭ）検出免除フラグは、ディスク（ＢＤ−ＲＯＭ）１１１から読み取り、情報処理装置（ＭＰ４再生装置）１２０内のメディア１２１に記録したコンテンツ（タイトル＃１）の再生時に音声電子透かしの検出または検出結果に応じた対応処理を実行するか否かを指示するためのフラグである。
すなわち、音声電子透かしを検出し検出結果に応じた対応処理を伴うコンテンツ再生を実行するか、音声電子透かしの検出処理を省略、または検出結果に対応した処理を省略したコンテンツ再生を実行するかを再生装置に指示するためのフラグである。
【０１４０】
例えば、
音声電子透かし検出要の場合：フラグ設定値＝１
音声電子透かし検出不要の場合：フラグ設定値＝０
このようなフラグの値が設定される。
【０１４１】
（ｃ）電子署名は、（ａ）コンテンツ利用制御情報、（ｂ）音声電子透かし（ＷＭ）検出免除フラグ、その他のファイル構成データに基づいて、ライセンスサーバの秘密鍵を適用して生成される電子署名データである。
電子署名は、コンテンツ利用制御情報ファイルの改ざん防止のために設定される。
【０１４２】
コンテンツ再生を実行する情報処理装置１２０は、コンテンツ再生処理を開始する前に、再生対象コンテンツに対応付けられたコンテンツ利用制御情報ファイルを読み出し、電子署名の署名検証を実行して、コンテンツ利用制御情報ファイルの改ざんがないことを確認し、コンテンツ利用制御情報ファイルの正当性を確認する。
なお、電子署名の検証は、例えば、ライセンスサーバの公開鍵を用いて実行する。
【０１４３】
電子署名の検証が成立し、コンテンツ利用制御情報ファイルの正当性が確認された後、コンテンツ利用制御情報ファイルに格納されたデータに基づく処理を実行する。具体的には、以下の処理を実行する。
（１）コンテンツ利用制御情報を参照して許容された範囲での処理を実行
（２）音声電子透かし（ＷＭ）検出免除フラグの設定値に基づく音声電子透かしの検出処理の実行要否判定処理
【０１４４】
図１２に示すように、情報処理装置１２０は、ステップＳ４０２において、コンテンツ記録処理に併せて、ライセンスサーバ２００から、図に示すコンテンツ利用制御情報ファイル２２０を受信し、情報処理装置（ＭＰ４再生装置）１２０内のメディア１２１に記録する。
【０１４５】
図１３は、図１２を参照して説明したシーケンスに従って情報処理装置（ＭＰ４再生装置）１２０内のメディア１２１に記録されたコンテンツを再生する際のシーケンスを説明する図である。
【０１４６】
情報処理装置１２０に対しユーザが再生コンテンツの指定情報を入力すると、情報処理装置１２０は、ステップＳ４２１において、再生指定コンテンツに対応するコンテンツ利用制御情報ファイル２２０をメディア１２１から読み取る。
【０１４７】
コンテンツ利用制御情報ファイル２２０には、以下のデータが記録されている。
（ａ）コンテンツ利用制御情報
（ｂ）音声電子透かし（ＷＭ）検出免除フラグ
（ｃ）電子署名
【０１４８】
情報処理装置１２０は、ステップＳ４２２において、電子署名の署名検証と、音声電子透かし（ＷＭ）検出免除フラグの確認処理等を実行する。
具体的には、まず、電子署名の署名検証を実行して、コンテンツ利用制御情報ファイルの改ざんがないことを確認し、コンテンツ利用制御情報ファイルの正当性を確認する。電子署名の検証は、例えば、ライセンスサーバの公開鍵を用いて実行する。
電子署名の検証が成立し、コンテンツ利用制御情報ファイルの正当性が確認された後、コンテンツ利用制御情報ファイルに格納されたデータに基づく処理を実行する。具体的には、以下の処理を実行する。
（１）コンテンツ利用制御情報を参照して許容された範囲での処理を実行
（２）音声電子透かし（ＷＭ）検出免除フラグの設定値に基づく音声電子透かしの検出処理の実行要否判定処理
【０１４９】
（１）コンテンツ利用制御情報を参照して許容された範囲での処理を実行とは、例えば、コンテンツ利用制御情報に記述された許容範囲での再生処理やコピー処理実行することである。
【０１５０】
（２）音声電子透かし（ＷＭ）検出免除フラグの設定値に基づく音声電子透かしの検出処理の実行要否判定処理は以下の処理である。
前述したように、（２）音声電子透かし（ＷＭ）検出免除フラグは、情報処理装置（ＭＰ４再生装置）１２０内のメディア１２１に記録したコンテンツ（タイトル＃１）の再生時に音声電子透かしの検出を実行するか否かを指示するためのフラグである。
すなわち、音声電子透かしを検出し、検出結果に応じた対応処理を伴うコンテンツ再生を実行するか、音声電子透かしの検出処理の省略、あるいは検出結果に応じた対応処理を省略したコンテンツ再生を実行するかを再生装置に指示するためのフラグである。
【０１５１】
例えば、
音声電子透かし検出要の場合：フラグ設定値＝１
音声電子透かし検出不要の場合：フラグ設定値＝０
このようなフラグの値が設定される。
【０１５２】
情報処理装置１２０は、コンテンツ利用制御情報ファイル２２０に記録された音声電子透かし（ＷＭ）検出免除フラグの設定値を確認して、コンテンツの再生時に音声電子透かし（ＷＭ）検出を実行するか省略するかを決定する。
【０１５３】
情報処理装置１２０は、
コンテンツ利用制御情報ファイル２２０に記録されたデータに基づく処理、すなわち、
（１）コンテンツ利用制御情報を参照して許容された範囲での処理の実行
（２）音声電子透かし（ＷＭ）検出免除フラグの設定値に基づく音声電子透かしの検出処理の実行要否判定処理
これらの処理の完了後に、ステップＳ４２３において、メディア１２１から読み出したコンテンツ（タイトル＃１）を復号し、再生処理を開始する。
【０１５４】
なお、この再生処理に際して、情報処理装置１２０は、コンテンツ利用制御情報ファイル２２０に記録された音声電子透かし（ＷＭ）検出免除フラグの設定値に従って、音声電子透かしの検出または検出結果に応じた対応処理を伴う再生処理、または伴わない再生処理を実行する。
【０１５５】
例えば、図１２を参照して説明したフォーマット変換を伴うコンテンツコピー記録処理においてメディア１２１に記録されるＭＰ４コンテンツが、正当なコピー記録処理であるとラインスサーバ２００が認定した場合、ライセンスサーバ２００は、音声電子透かし（ＷＭ）検出免除フラグの設定値を音声電子透かし検出不要の設定値としたコンテンツ利用制御情報ファイル２２０を発行する。
情報処理装置１２０は、このコンテンツ利用制御情報ファイル２２０に従って音声電子透かしの検出を行うことなく、コンテンツ再生を実行する。
従って、再生コンテンツ中に音声電子透かしが記録されていても、情報処理装置１２０が音声電子透かしの検出に基づいてコンテンツ再生を誤って停止してしまうといった事態を防止できる。
【０１５６】
なお、図１２、図１３を参照して説明した処理例は、ディスク（ＢＤ−ＲＯＭ）１１１の記録コンテンツをフォーマット変換したメディア１２１に記録する例と、再生処理例であるが、その他のコンテンツ、例えば、図９を参照して説明した放送局１１２の配信コンテンツや、ビデオカメラ１１３のコンテンツをメディア１２１に記録し、再生する場合も同様の処理が可能である。
【０１５７】
すなわち、情報処理装置１２０は、メディア１２１に記録する記録コンテンツを識別可能な情報をライセンスサーバ２００に送信し、ライセンスサーバから記録コンテンツに関する再生時の音声電子透かし検出が必要か不要かを示す音声電子透かし（ＷＭ）検出免除フラグを含むコンテンツ利用制御情報ファイルを受領して、コンテンツに対応付けてメディア１２１に記録する。
また、情報処理装置１２０は、コンテンツ再生時に、再生コンテンツに対応付けられたコンテンツ利用制御情報ファイルの音声電子透かし（ＷＭ）検出免除フラグの設定値を確認し、確認された値に従って音声電子透かし（ＷＭ）の検出を伴う再生処理、または省略した再生処理を実行することができる。
【０１５８】
［４−３．タイトル鍵ファイルに音声電子透かし検出要否情報を記録した処理例について］
次に、タイトル鍵ファイルに音声電子透かし検出要否情報を記録した処理例について説明する。
【０１５９】
タイトル鍵ファィルは、暗号化コンテンツの復号に適用する鍵（タイトル鍵）を格納したファイルである。
コンテンツの各タイトルに対応するタイトル鍵が格納されている。
本実施例におけるタイトル鍵ファィルの構成例を図１４に示す。
図１４には、２つのタイトル鍵ファイルの構成例を示している。
【０１６０】
図１４（Ａ）に示すタイトル鍵ファイルは、以下の各データを格納している。
（ａ）タイトル鍵
（ｂ）音声電子透かし（ＷＭ）検出免除フラグ
【０１６１】
（ａ）タイトル鍵は、コンテンツの各タイトルに対応する復号用の鍵であるタイトル鍵の格納領域である。
（ｂ）音声電子透かし（ＷＭ）検出免除フラグは、コンテンツの再生時に音声電子透かしの検出を実行するか否かを指示するためのフラグである。
このタイトル鍵ファイルは、各タイトル単位のコンテンツ単位で設定される。
例えば、コンテンツを格納したディスク等のメディアにコンテンツに対応付けて格納した設定としてもよいし、コンテンツ記録時に、ライセンスサーバから取得する設定としてもよい。
【０１６２】
ライセンスサーバから取得する場合の処理シーケンスは、先に図１０や図１２を参照して説明したシーケンスと同様のシーケンスとなる。
例えば図１０に示す情報処理装置１２０は、コンテンツ証明書の代わりにタイトル鍵ファイルをライセンスサーバ２００から取得して、コンテンツとともにメディア１２１に記録する。
【０１６３】
図１４（Ａ）に示すタイトル鍵ファイルは、暗号化データとして構成することが好ましい。具体的には、たとえばコンテンツ再生を実行する情報処理装置に格納されたデバイス鍵を適用して復号可能な暗号化データとして設定する。
【０１６４】
一方、図１４（Ｂ）に示すタイトル鍵ファイルは、以下の各データを格納している。
（ａ）タイトル鍵
（ｂ）音声電子透かし（ＷＭ）検出免除フラグ
（ｃ）電子署名
図１４（Ｂ）に示す例は、（ｃ）電子署名を有する。電子署名は、（ａ）タイトル鍵、（ｂ）音声電子透かし（ＷＭ）検出免除フラグ等のタイトル鍵ファイル構成データに基づいて、ライセンスサーバの秘密鍵を適用して生成される電子署名データである。
電子署名は、タイトル鍵ファイルの改ざん防止のために設定される。
【０１６５】
図１４（Ａ），（Ｂ）のいずれかの構成を持つタイトル鍵ファイルは、コンテンツとともに、情報処理装置１２０のメディア１２１に記録される。この処理は、図１０を参照して説明したコンテンツ証明書をタイトル鍵ファイルに置き換えた処理と同様の処理となる。
【０１６６】
コンテンツ再生を実行する情報処理装置は、コンテンツ再生処理を開始する前に、再生対象コンテンツに対応付けられたタイトル鍵ファイルを読み出し、タイトル鍵ファイルに記録された音声電子透かし（ＷＭ）検出免除フラグの設定値に基づいて、音声電子透かしの検出処理の実行要否判定処理を行なう。
【０１６７】
再生処理シーケンスは、例えば先に図１１を参照して説明した処理におけるコンテンツ証明書の代わりにタイトル鍵ファイルを用いた処理となる。
なお、図１４（Ａ）に示す設定のタイトル鍵ファイルを適用する場合は、電子署名の検証は省略可能である。
図１４（Ｂ）の構成を持つタイトル鍵ファイルを用いる場合は、電子署名の署名検証を実行して、タイトル鍵ファイルの改ざんがないことを確認し、タイトル鍵ファイルの正当性を確認する。
なお、電子署名の検証は、例えば、ライセンスサーバの公開鍵を用いて実行する。
【０１６８】
なお、本処理例も、情報処理装置１２０のメディア１２１に記録するコンテンツは、ディスク（ＢＤ−ＲＯＭ）１１１の記録コンテンツをフォーマット変換したコンテンツに限らない。例えば、図９を参照して説明した放送局１１２の配信コンテンツや、ビデオカメラ１１３のコンテンツをメディア１２１に記録した場合も同様の処理が可能である。
【０１６９】
すなわち、情報処理装置１２０は、メディア１２１に記録する記録コンテンツを識別可能な情報をライセンスサーバ２００に送信し、ライセンスサーバから記録コンテンツに関する再生時の音声電子透かし検出が必要か不要かを示す音声電子透かし（ＷＭ）検出免除フラグを含むタイトル鍵ファイルを受領して、コンテンツに対応付けてメディア１２１に記録する。
また、情報処理装置１２０は、コンテンツ再生時に、再生コンテンツに対応付けられたタイトル鍵ファイルの音声電子透かし（ＷＭ）検出免除フラグの設定値を確認し、確認された値に従って音声電子透かし（ＷＭ）の検出を伴う再生処理、または省略した再生処理を実行することができる。
【０１７０】
［５．コンテンツを取得するサーバに応じて音声電子透かしの検出要否を決定する処理例について］
次に、コンテンツを取得するサーバに応じて音声電子透かしの検出要否を決定する処理例について説明する。
【０１７１】
昨今のコンテンツ取得形態としては、ダウンロード型が主流になりつつある。すなわちインターネット等のネットワークを介してコンテンツサーバの提供するコンテンツをダウンロードして取得する方法である。
しかし、コンテンツを提供するサーバには、正しい著作権管理の下で、正当なコンテンツを提供するサーバと、不正なコピーコンテンツ等を提供する不正なコンテンツサーバが混在しているのが現状である。
【０１７２】
このような様々なサーバについて、
正規コンテンツを提供する認定コンテンツサーバと、
それ以外の非認定コンテンツサーバ、
これら２つの区分に分類する。
ユーザの情報処理装置が認定コンテンツサーバから取得したコンテンツを再生する場合は、音声電子透かしの検出を免除し、非認定コンテンツサーバから取得したコンテンツを再生する場合には、音声電子透かしの検出を実行させる。
【０１７３】
図１５には、認定コンテンツサーバ３１０、非認定コンテンツサーバ３２０、および、これらの各コンテンツサーバからコンテンツを取得し、再生を実行する情報処理装置１２０を示している。情報処理装置１２０は、ＳＤカード等のメディア１２１を内蔵し、メディア１２１にダウンロードコンテンツを記録する。記録コンテンツは例えばＭＰ４フォーマットに従ったコンテンツである。
【０１７４】
認定コンテンツサーバ３１０は、正しい著作権管理の下で、正当なコンテンツを提供するサーバであり、コンテンツ管理を実行する機関（ライセンスサーバ管理機関）から正当サーバであるとの認定がなされたサーバである。
一方、非認定コンテンツサーバ３２０は、不正なコピーコンテンツ等を提供する可能性がある不正なコンテンツサーバであり、コンテンツ管理を実行する機関（ライセンスサーバ管理機関）から認定されていないサーバである。
【０１７５】
情報処理装置２１０は、認定コンテンツサーバ３１０からコンテンツ１（タイトル＃１）を受信して、ステップＳ５０１で記録する。
なお、このコンテンツ受信、記録処理に先立ち、情報処理装置２１０は、認定コンテンツサーバ３１０との認証処理を実行する。この認証処理に際して、情報処理装置２１０は、認定コンテンツサーバ３１０からサーバ証明書（Ｓｅｒｖｅｒ  Ｃｅｒｔ）を受領する。
【０１７６】
サーバ証明書（Ｓｅｒｖｅｒ  Ｃｅｒｔ）は、サーバ識別子と、サーバ公開鍵等を含み、サーバ証明書発行機関（例えばライセンスサーバ）の電子署名が付与された証明書である。
情報処理装置１２０は、受信したコンテンツ１（タイトル＃１）とともに、このサーバ証明書をメディア１２１に記録する。
【０１７７】
情報処理装置１２０が、ステップＳ５１１において、メディア１２１に記録したコンテンツ１（タイトル＃１）を再生する場合、再生処理の開始に先立ち、コンテンツ１（タイトル＃１）を受信したサーバの確認処理を実行する。このサーバ確認処理には、サーバから受信したサーバ証明書（Ｓｅｒｖｅｒ  Ｃｅｒｔ）の検証処理が含まれる。
まず、サーバ証明書の電子署名の署名検証処理を実行して、サーバ証明書の正当性を確認する。
電子署名は、例えばライセンスサーバの秘密鍵によって生成され、ライセンスサーバの公開鍵を用いた署名検証が行われる。
【０１７８】
サーバ証明書の正当性が確認されると、次にサーバ証明書からサーバＩＤを取得して、サーバＩＤが、不正サーバの登録リストであるリボケーションリストに登録されていないかを確認する。
リボケーションリストは、例えばサーバ証明書発行機関（例えばライセンスサーバ）から取得可能である。
サーバＩＤが、不正サーバの登録リストであるリボケーションリストに登録されていないことを確認した後、コンテンツ再生を開始する。
このコンテンツ再生は、音声電子透かしの検出処理を伴わない再生処理として実行される。
【０１７９】
情報処理装置１２０の実行する再生アプリケーションは、再生対象となるダウンロードコンテンツの取得元であるコンテンツサーバの正当性（認定コンテンツサーバであること）が確認されたことを条件として、音声電子透かしの検出処理を伴わない再生処理を行なう。
【０１８０】
一方、情報処理装置２１０は、非認定コンテンツサーバ３２０からコンテンツ２（タイトル＃２）を受信して、ステップＳ５０２で記録する。
なお、このコンテンツ受信、記録処理に先立ち、情報処理装置２１０は、非認定コンテンツサーバ３２０との認証処理を実行する。この認証処理に際して、情報処理装置２１０は、非認定コンテンツサーバ３２０からサーバ証明書（Ｓｅｒｖｅｒ  Ｃｅｒｔ）を受領する。
あるいは、認証処理を行なわずにコンテンツを取得する場合もある。
【０１８１】
サーバ証明書（Ｓｅｒｖｅｒ  Ｃｅｒｔ）を取得した場合は、情報処理装置１２０は、受信したコンテンツ２（タイトル＃２）とともに、取得したサーバ証明書をメディア１２１に記録する。
【０１８２】
情報処理装置１２０が、ステップＳ５１２において、メディア１２１に記録したコンテンツ２（タイトル＃２）を再生する場合、再生処理の開始に先立ち、コンテンツ２（タイトル＃２）を受信したサーバの確認処理を実行する。このサーバ確認処理には、サーバから受信したサーバ証明書（Ｓｅｒｖｅｒ  Ｃｅｒｔ）の検証処理が含まれる。
サーバ証明書を受信していない場合は、サーバ確認処理が実行できない。
この場合は、コンテンツ再生の停止、あるいは、音声電子透かしの検出処理を伴うコンテンツ再生を実行する。
音声電子透かしの検出処理によって再生停止される可能性がある。
【０１８３】
一方、非認定コンテンツサーバ３２０からサーバ証明書を受領している場合は、まず、サーバ証明書の電子署名の署名検証処理を実行して、サーバ証明書の正当性を確認する。
ただし、非認定コンテンツサーバ３２０のサーバ証明書の署名は正規なライセンスサーバの秘密鍵による署名でない可能性があり、この場合、ライセンスサーバの公開鍵を用いた署名検証は不成立となる。署名検証が不成立の場合は、情報処理装置は、その後の処理を中止する。
【０１８４】
サーバ証明書の正当性が確認されると、次にサーバ証明書からサーバＩＤを取得して、サーバＩＤが、不正サーバの登録リストであるリボケーションリストに登録されていないかを確認する。
リボケーションリストは、例えばサーバ証明書発行機関（例えばライセンスサーバ）から取得可能である。
サーバＩＤが、不正サーバの登録リストであるリボケーションリストに登録されていないことを確認した後、コンテンツ再生を開始する。
非認定コンテンツサーバ３２０は、認定されていないサーバであり、サーバ証明書が存在しても、すでに無効化（リボーク）されている可能性がある証明書である。
【０１８５】
このように無効化（リボーク）されている証明書であることが確認された場合、情報処理装置１２０は、コンテンツ２（タイトル＃２）の再生を中止するか、あるいは音声電子透かしの検出処理を伴うコンテンツ再生を実行する。
音声電子透かしの検出処理によって再生停止される可能性がある。
【０１８６】
このように、コンテンツを提供するコンテンツサーバが、認定コンテンツサーバであるか否かに応じて、コンテンツ再生時の音声電子透かしの検出要否を決定してコンテンツの再生制御を行う。
この処理によって、非認定コンテンツサーバからの取得コンテンツの再生時には音声電子透かしの検出が行われ、必要に応じて再生停止等の処理が行われる。
一方、認定コンテンツサーバから取得したコンテンツの再生に際しては、音声電子透かしの検出が省略され、確実なコンテンツ再生が実現される。
【０１８７】
［６．ダウンロードコンテンツと、コンテンツ提供サーバとの対応付けについて］
図１５に示す情報処理装置１２０は、上記のように認定コンテンツサーバからの取得コンテンツと非認定コンテンツサーバからの取得コンテンツとを区別して処理を行なう。しかし、情報処理装置１２０は、様々なコンテンツサーバからコンテンツをダウンロードして、メディア１２１に格納する。従って、上記のように認定コンテンツサーバからの取得コンテンツと非認定コンテンツサーバからの取得コンテンツとを区別して処理を行なうためには、メディア１２１に格納されたダウンロードコンテンツの各々がどのサーバから取得したものであるかを明確にしておくことが必要である。
【０１８８】
コンテンツのダウンロード処理を実行する装置と、コンテンツ再生を実行する装置が同一である場合、すなわちコンテンツが装置（デバイス）に固定（バインド）されるデバイスバインド型である場合は、コンテンツのダウンロード時に、ダウンロードコンテンツと、ダウンロード実行先のコンテンツサーバとの対応付けデータを生成してメディア１２１に格納する。再生時にこの対応付けデータを参照して利用する。
すなわち、サーバとコンテンツとの対応関係データを生成してメディア１２１に格納する。
【０１８９】
なお、この場合、例えば、情報処理装置は、コンテンツダウンロードに先立ち、コンテンツサーバとの相互認証処理を実行し、相互認証処理の過程でコンテンツサーバからサーバ証明書（Ｓｅｒｖｅｒ  Ｃｅｒｔ）を取得し、このサーバ証明書、あるいはサーバ証明書に記録されたサーバＩＤと、ダウンロードコンテンツとの対応関係を記録した管理データを生成してメディア１２１に格納すればよい。
【０１９０】
なお、コンテンツサーバが認定コンテンツサーバであるか否かは、例えばコンテンツサーバの保持するサーバ証明書に設定された電子署名が、所定のライセンスサーバの秘密鍵による署名であるか否かに応じて判定することが可能である。
【０１９１】
情報処理装置とコンテンツサーバ間において実行する相互認証処理に際して、情報処理装置は、コンテンツサーバからサーバ証明書（Ｓｅｒｖｅｒ  Ｃｅｒｔ）を受領して、署名検証等の証明書検証処理を実行する。この署名検証において、所定のライセンスサーバの公開鍵による署名検証を実行する。
この署名検証が成立した場合、コンテンツサーバのサーバ証明書は、ライセンスサーバの秘密鍵による署名入りの証明書であることが確認され、この証明書を保持するサーバは、認定コンテンツサーバであると判定することができる。
サーバとコンテンツとの対応関係データにこの認定情報を記録し、再生時にこの対応関係データを参照する。再生対象コンテンツが、認定コンテンツサーバからのダウンロードコンテンツであると確認された場合は、音声電子透かしの検出を省略した再生処理を実行する。
【０１９２】
図１６を参照して、情報処理装置１２０と、コンテンツを取得するコンテンツサーバとの間で実行する相互認証処理のシーケンスについて説明する。
情報処理装置１２０は、認定コンテンツサーバからコンテンツを取得する前に、コンテンツサーバとの相互認証処理を実行し、認証成立を条件としてコンテンツを取得する。
ただし、非認定コンテンツサーバからのコンテンツ取得に際しては、認証処理を実行して取得する場合もあるが、認証処理を実行しないで取得する場合もあり得る。
【０１９３】
図１６に示す認証シーケンスに示す各ステップの処理について、順次、説明する。
（ステップＳ７０１〜Ｓ７０２）
まず、情報処理装置と、コンテンツサーバは、自装置に格納されたリボケーションリストの更新処理を実行する。
情報処理装置は、不正サーバのリストであるサーバリボケーションリストを最新のリストに更新し、コンテンツサーバは、不正な情報処理装置（再生装置）のリストである再生装置リボケーションリストの更新処理を実行する。
なお、最新のリボケーションリストは、各装置の管理処理や各装置に対する公開鍵証明書の発行等を実行する管理サーバから取得可能である。
【０１９４】
（ステップＳ７０３）
ステップＳ７０３において、コンテンツサーバは、コンテンツサーバの生成した乱数（Ｓｎ）と、コンテンツサーバの保持するサーバ証明書（Ｓｅｒｖｅｒ  Ｃｅｒｔ）を情報処理装置に送信する。
サーバ証明書（Ｓｅｒｖｅｒ  Ｃｅｒｔ）は、コンテンツサーバのサーバ識別子（サーバＩＤ）、コンテンツサーバの公開鍵等を格納した証明書であり、証明書発行機関の署名が設定された証明書である。
【０１９５】
（ステップＳ７０４）
ステップＳ７０４において、情報処理装置は、コンテンツサーバから受信したサーバ証明書に基づいて、サーバの正当性確認処理を実行する。
まず、サーバ証明書の署名検証処理を実行する。証明書発行機関の公開鍵を利用して署名検証を実行する。
署名検証が不成立の場合は、サーバ証明書の改ざんの可能性があり、その後の処理を中止する。
【０１９６】
署名検証が成立し、サーバ証明書の改ざんがないことを確認すると、次に、サーバ証明書に記録されたサーバＩＤを取得し、このサーバＩＤがサーバリボケーションリストに記録されていないかを確認する。
記録されている場合は、コンテンツサーバは不正サーバとして登録されたサーバであると判断し、その後の処理は中止する。
サーバ証明書に記録されたサーバＩＤがサーバリボケーションリストに記録されていない場合は、コンテンツサーバが不正サーバでないと判断し、その後の処理を続ける。
【０１９７】
（ステップＳ７０５）
情報処理装置は、サーバの正当性を確認した後、ステップＳ７０５において、情報処理装置の生成した乱数（Ｐｎ）と、情報処理装置の保持する再生装置証明書（Ｐｌａｙｅｒ  Ｃｅｒｔ）をコンテンツサーバに送信する。
再生装置証明書（Ｐｌａｙｅｒ  Ｃｅｒｔ）は、情報処理装置（再生装置）の識別子（プレーヤＩＤ）、情報処理装置の公開鍵等を格納した証明書であり、証明書発行機関の署名が設定された証明書である。
【０１９８】
（ステップＳ７０６）
ステップＳ７０６において、コンテンツサーバは、情報処理装置から受信した再生装置証明書に基づいて、情報処理装置の正当性確認処理を実行する。
まず、再生装置証明書の署名検証処理を実行する。証明書発行機関の公開鍵を利用して署名検証を実行する。
署名検証が不成立の場合は、再生装置証明書の改ざんの可能性があり、その後の処理を中止する。
【０１９９】
署名検証が成立し、再生装置証明書の改ざんがないことを確認すると、次に、再生装置証明書に記録されたプレーヤＩＤを取得し、このプレーヤＩＤが再生装置リボケーションリストに記録されていないかを確認する。
記録されている場合は、情報処理装置は不正装置として登録された再生装置であると判断し、その後の処理は中止する。
再生装置証明書に記録されたプレーヤＩＤが再生装置リボケーションリストに記録されていない場合は、情報処理装置が不正装置でないと判断し、その後の処理を続ける。
【０２００】
（ステップＳ７０７）
次に、情報処理装置は、ステップＳ７０７において、情報処理装置の秘密鍵を適用して署名生成を行う。再生装置署名（Ｐｓｉｇ）は、以下の式に従って生成する。
Ｐｖ＝Ｐｋ  Ｇ
Ｐｓｉｇ＝Ｓｉｇｎ（Ｐｐｒｉｖ，Ｓｎ||Ｐｖ）
上記式において、
Ｐｋ：乱数
Ｇ：楕円曲線のベースポイント
Ｐｖ：乱数Ｐｋに基づいて生成する乱数
である。
Ｐｓｉｇ＝Ｓｉｇｎ（Ｐｐｒｉｖ，Ｓｎ||Ｐｖ）は、
再生装置の秘密鍵（Ｐｐｒｉｖ）を適用して、乱数（Ｓｎ）と乱数（Ｐｖ）の連結データに対する暗号処理による再生装置署名（Ｐｓｉｇ）の生成処理である。
【０２０１】
（ステップＳ７０８）
情報処理装置は、ステップＳ７０８において、ステップＳ７０７で生成した乱数（Ｐｖ）と、再生装置署名（Ｐｓｉｇ）をコンテンツサーバに送信する。
【０２０２】
（ステップＳ７０９）
コンテンツサーバは、情報処理装置から受信した再生装置署名（Ｐｓｉｇ）の検証処理を実行する。検証処理は、情報処理装置の公開鍵、すなわち再生装置公開鍵（Ｐｐｕｂ）を用いた以下の演算により行う。
Ｖｅｒｉｆｙ（Ｐｐｕｂ，Ｐｓｉｇ，Ｓｎ||Ｐｖ）
この式は、再生装置公開鍵（Ｐｐｕｂ）を用いた再生装置署名（Ｐｓｉｇ）の暗号処理によって得られるデータが、乱数（Ｓｎ）と乱数（Ｐｖ）の連結データに等しいか否かを検証する処理である。
等しい場合に、署名検証成立と判断し、次の処理に進む。
【０２０３】
（ステップＳ７１０）
ステップＳ７０９の署名検証が成立すると、コンテンツサーバはステップＳ７１０において、コンテンツサーバの秘密鍵を適用して署名生成を行う。サーバ署名（Ｓｓｉｇ）は、以下の式に従って生成する。
Ｓｖ＝Ｓｋ  Ｇ
Ｓｓｉｇ＝Ｓｉｇｎ（Ｓｐｒｉｖ，Ｐｎ||Ｓｖ）
上記式において、
Ｓｋ：乱数
Ｇ：楕円曲線のベースポイント
Ｓｖ：乱数Ｓｋに基づいて生成する乱数
である。
Ｓｓｉｇ＝Ｓｉｇｎ（Ｓｐｒｉｖ，Ｐｎ||Ｓｖ）は、
コンテンツサーバの秘密鍵（Ｓｐｒｉｖ）を適用して、乱数（Ｐｎ）と乱数（Ｓｖ）の連結データに対する暗号処理によるサーバ署名（Ｓｓｉｇ）の生成処理である。
【０２０４】
（ステップＳ７１１）
情報処理装置は、ステップＳ７１１において、ステップＳ７１０で生成した乱数（Ｓｖ）と、サーバ署名（Ｓｓｉｇ）を情報処理装置に送信する。
【０２０５】
（ステップＳ７１２）
情報処理装置は、コンテンツサーバから受信したサーバ署名（Ｓｓｉｇ）の検証処理を実行する。検証処理は、コンテンツサーバの公開鍵（Ｓｐｕｂ）を用いた以下の演算により行う。
Ｖｅｒｉｆｙ（Ｓｐｕｂ，Ｓｓｉｇ，Ｐｎ||Ｓｖ）
この式は、サーバ公開鍵（Ｓｐｕｂ）を用いたサーバ署名（Ｓｓｉｇ）の暗号処理によって得られるデータが、乱数（Ｐｎ）と乱数（Ｓｖ）の連結データに等しいか否かを検証する処理である。
等しい場合に、署名検証成立と判断する。
【０２０６】
これら一連の処理が完了すると、情報処理装置とコンテンツサーバ間の相互認証が成立したと判定される。
情報処理装置は、その後、コンテンツサーバからコンテンツを取得（ダウンロード）する。
なお、図１６を参照して説明した相互認証処理シーケンスは一例であり、この他のシーケンスに従った相互認証処理を適用してもよい。
情報処理装置は、この相互認証によって信頼できると判断されるコンテンツサーバからコンテンツをダウンロードできる。
【０２０７】
コンテンツのダウンロード処理を実行する装置と、コンテンツ再生を実行する装置が同一である場合、すなわちコンテンツが装置（デバイス）に固定（バインド）されるデバイスバインド型である場合は、上記のように、コンテンツのダウンロード時に、ダウンロードコンテンツと、ダウンロード実行先のコンテンツサーバとの対応付けデータを生成してメディア１２１に格納することが可能である。
【０２０８】
しかし、コンテンツのダウンロード処理を実行する装置と、コンテンツ再生を実行する装置が同一でない場合もある。
しかし、この場合も、コンテンツは、１つのメディアに格納される。例えば、図１５に示すメディア１２１に格納される。
メディア１２１は、様々な再生装置に装着され、利用される可能性はあるが、もコンテンツは、メディア１２１に固定（バインド）されたデータとなる。すなわちねメディアバインド型のコンテンツである。
【０２０９】
この場合も、次用法処理装置は、コンテンツを格納したメディアに、各コンテンツをダウンロードしたサーバのサーバ証明書、またはサーバＩＤとの対応データを格納する。
再生装置の実行する再生アプリケーシッョンは、コンテンツ再生時に再生コンテンツの出所（ダウンロード元のコンテンツサーバ）を確認する。すなわち、認定コンテンツサーバであるか、非認定コンテンツサーバであるかを確認する。
【０２１０】
再生対象コンテンツが、認定コンテンツサーバから取得したコンテンツである場合は、音声電子透かし検出を省略したコンテンツ再生を実行し、再生対象コンテンツが、非認定コンテンツサーバから取得したコンテンツである場合は、音声電子透かし検出を伴うコンテンツ再生を実行する。
このような処理によって、取得元のサーバに応じた適切なコンテンツ再生制御が可能となる。
【０２１１】
［７．フォーマット変換およびデータ記録処理を実行する情報処理装置の構成例について］
次に、上述した実施例に従った処理を実行する装置の構成例について図１７以下を参照して説明する。
図１７に示す情報処理装置６００は、第１メディア６１０に記録されたＭＰＥＧ−２ＴＳフォーマットデータを変換して生成したＭＰ４フォーマットデータを第２メディア６２０に記録する情報処理装置である。
【０２１２】
情報処理装置６００は、例えばＢＤ（Ｂｌｕ−ｒａｙ（登録商標）  Ｄｉｓｃ）等の情報記録媒体である第１メディア６１０に記録されたデータを読み出し、フラッシュメモリ等の情報記録媒体である第２メディア６２０に記録する、いわゆるコピー処理を行なう。
あるいは、通信部６０３を介して入力したデータをフラッシュメモリ等の第２メディア６２０に記録する処理を行なう。
【０２１３】
なお、第１メディア６１０、あるいは通信部６０３を介して入力するデータのデータフォーマットを第１フォーマット、第２メディア６２０に対して記録するデータのフォーマットを第２フォーマットとする。
【０２１４】
情報処理装置は、第１メディア６１０、あるいは通信部６０３を介して入力する第１フォーマットのデータをフラッシュメモリ等の第２メディア６２０に記録する際に、第１フォーマットデータを第２フォーマットデータに変換する処理を行なう。
【０２１５】
なお、上述した実施例では、第１メディア６１０、または通信部６０３から入力するデータのフォーマットはＭＰＥＧ−２ＴＳフォーマットであり、第２メディアの記録フォーマットはＭＰ４フォーマットである。
情報処理装置１００は、第２メディア６２０に対するデータ記録処理に際して、ＭＰＥＧ−２ＴＳフォーマットからＭＰ４フォーマットへのフォーマット変換を実行する。
【０２１６】
情報処理装置６００は、図１７に示すように、制御部６０１、入力部６０２、通信部６０３、記憶部６０４、出力部６０５、第１メディアＩＦ（インタフェース）６０６、データバッファ６０７、データ変換部６０８、第２メディアＩＦ６０９を有する。
【０２１７】
制御部６０１は、メディアを利用したデータ記録再生、メディア間のデータコピー処理等、情報処理装置６００において実行するデータ処理の制御を行う、これらの制御は、例えば記憶部６０４に格納されたプログラム従って行われる。
【０２１８】
入力部６０２は、ユーザの操作可能なスイッチ、ボタン、タッチパネル等の入力部であり、再生、コピー、記録等の様々な処理の指示入力などを行う入力部である。
また、入力部６０２は、メディアに記録する画像や音声等を入力する撮像部、マイクを持つ構成としてもよい。
通信部６０３は、例えば外部サーバ、あるいは外部機器との通信を行い、メディアに対する記録データや、記録データに関する制御情報、あるいはコピー処理の許可情報の取得など、各種の通信処理に利用される。
【０２１９】
記憶部６０４は、制御部６０１の実行するプログラムや、プログラム実行に用いるパラメータ等の記憶領域、さらにプログラム実行時のワーク領域等に利用される。
具体的には、第２メディア６２０に対するデータ記録時に第１メディア６１０から読み出したデータ、あるいは通信部６０３を介して入力したデータを一時的に格納する領域としても利用される。
記憶部６０４は、例えばＲＡＭ、ＲＯＭ等によって構成される。
出力部６０５は、外部装置に対する出力部や、メディアからの再生データの出力部によって構成される。例えば、第２メディア６２０に対するデータ記録処理の進行状況の表示、ユーザに対するメッセージ表示などに利用され、ディスプレイやスピーカ等を含む。
【０２２０】
第１メディアインタフェース（ＩＦ）６０６は、例えばＢＤ（Ｂｌｕ−ｒａｙ（登録商標）  Ｄｉｓｃ）等の第１メディア６１０に対するアクセスを行い、第１メディア６１０に対するデータ記録やデータ読み取りを行なうデータ記録再生部として機能するインタフェースである。
【０２２１】
データバッファ６０７は、第１メディア６１０からの読み出しデータや、通信部６０３から入力するデータを一時的に格納するバッファである。例えば第２メディア６２０に記録するデータを一時的に格納する。
データ変換部６０８は、第１メディア６１０の記録データ、あるいは通信部６０３を介して入力するデータのフォーマットである第１フォーマットのデータを、データ記録先である第２メディア６２０に記録する際のデータフォーマットである第２フォーマットに変換するフォーマット変換処理を実行する。
【０２２２】
第２メディアインタフェース（ＩＦ）６０９は、第２メディア６２０に対するアクセスを行い、第２メディア６２０に対するデータ記録あるいは読み取り処理を行なうデータ記録再生部として機能するインタフェースである。
【０２２３】
このように、情報処理装置６００は、第１メディア６１０、あるいは通信部６０３を介して入力する第１フォーマットのデータをフラッシュメモリ等の第２メディア６２０に記録する処理を行なう。この処理の際に、第１フォーマットデータを第２フォーマットデータに変換する処理を行なう。
なお、第１フォーマットとは、例えはＭＰＥＧ−２ＴＳフォーマットデータであり、第２フォーマットは、ＭＰ４フォーマットデータである。
【０２２４】
なお、情報処理装置６００は、第１メディア６１０から取得出来ないデータを外部のサーバから通信部６０３を介して取得し、第１メディア６１０からの読み取りデータと、通信部６０３を介して取得した受信データを併せて第２メディア６２０に記録する処理を行なってもよい。
【０２２５】
また、図１７に示す構成において、第１メディア６１０は、例えば、ＢＤ（Ｂｌｕ−ｒａｙ（登録商標）  Ｄｉｓｃ）である。第２メディア６２０は、例えばＳＤカード等のフラッシュメモリである。
なお、第１メディア６１０、第２メディア６２０は、上記の組み合わせに限らず、様々な組み合わせがせ可能である。
【０２２６】
次に、図１８を参照してデータ変換部６０８の詳細構成について説明する。
図１８に示すように、データ変換部６０８は、データ解析部６５１、画像データ変換部６５２、音声データ変換部６５３、字幕データ変換部６５４、多重化処理実行部６５５を有する。
【０２２７】
データ解析部６５１は、データバッファ６０７に格納された第１メディア６１０からの読み出しデータ、または通信部６０３を介して入力するデータ（パケット）に設定された識別子（ＰＩＤ：プログラムＩＤ）に基づいて、各データ（パケット）を、
画像データ、
音声データ、
字幕データ、
これら３種類のデータに分類する。
【０２２８】
データ解析部６５１は、画像データを画像データ変換部６５２に出力し、音声データを音声データ変換部６５３に出力し、字幕データを字幕データ変換部６５４に出力する。
【０２２９】
画像データ変換部６５２、音声データ変換部６５３、字幕データ変換部６５４は、入力データのデータフォーマットである第１フォーマット、例えばＭＰＥＧ−２ＴＳフォーマットデータを、第２メディア６２０に記録する第２フォーマット、具体的には例えばＭＰ４形式のフォーマットデータに変換する処理を実行する。
【０２３０】
すなわち、画像データ変換部６５２は、第２メディア６２０に対するデータ記録フォーマットであるＭＰ４フォーマットの画像データを生成して多重化処理実行部６５５に出力する。
音声データ変換部６５３は、ＭＰ４フォーマットの音声データを生成して多重化処理実行部６５５に出力する。
字幕データ変換部６５４は、ＭＰ４フォーマットの字幕データを生成して多重化処理実行部６５５に出力する。
【０２３１】
多重化処理部６５５は、
（ａ）画像データ生成部６５２の生成した第２フォーマット（ＭＰ４）形式の画像フォーマットデータ、
（ｂ）音声データ生成部６５３の生成した第２フォーマット（ＭＰ４）形式の音声フォーマットデータ、
（ｃ）字幕データ生成部６５４の生成した第２フォーマット（ＭＰ４）形式の字幕フォーマットデータ、
（ｄ）記憶部６０４に格納した例えば再生制御情報ファイルから抽出したデータ、
例えば、これらの各データの多重化処理を実行して、第２フォーマット（ＭＰ４）形式の記録データを生成する。
【０２３２】
多重化処理実行部６５５の生成データは、第２メディアインタフェース６０９を介して第２メディア６２０に記録される。
【０２３３】
このように、情報処理装置６００は、第１メディア６１０の記録データ、あるいは通信部６０３を介して入力する第１フォーマット（ＭＰＥＧ−２ＴＳフォーマット）のデータを、第２メディア６２０の記録フォーマットである第２フォーマット（ＭＰ４）に変換して、第２メディア６２０に記録する処理を実行する。
【０２３４】
［８．データ再生、または記録処理を実行する情報処理装置、およびサーバの構成例について］
次に、ＭＰ４フォーマットデータの再生処理を実行する情報処理装置や、サーバとして適用可能な情報処理装置のハードウェア構成例について、図１９を参照して説明する。
【０２３５】
ＣＰＵ（Ｃｅｎｔｒａｌ  Ｐｒｏｃｅｓｓｉｎｇ  Ｕｎｉｔ）７０１は、ＲＯＭ（Ｒｅａｄ  Ｏｎｌｙ  Ｍｅｍｏｒｙ）７０２、または記憶部７０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）７０３には、ＣＰＵ７０１が実行するプログラムやデータなどが記憶される。これらのＣＰＵ７０１、ＲＯＭ７０２、およびＲＡＭ７０３は、バス７０４により相互に接続されている。
【０２３６】
ＣＰＵ７０１はバス７０４を介して入出力インタフェース７０５に接続され、入出力インタフェース７０５には、各種スイッチ、キーボード、マウス、マイクロホンなどよりなる入力部７０６、ディスプレイ、スピーカなどよりなる出力部７０７が接続されている。ＣＰＵ７０１は、入力部７０６から入力される指令に対応して各種の処理を実行し、処理結果を例えば出力部７０７に出力する。
【０２３７】
入出力インタフェース７０５に接続されている記憶部７０８は、例えばハードディスク等からなり、ＣＰＵ７０１が実行するプログラムや各種のデータを記憶する。通信部７０９は、インターネットやローカルエリアネットワークなどのネットワークを介したデータ通信の送受信部、さらに放送波の送受信部として機能し、外部の装置と通信する。
【０２３８】
入出力インタフェース７０５に接続されているドライブ７１０は、磁気ディスク、光ディスク、光磁気ディスク、あるいはメモリカード等の半導体メモリなどのリムーバブルメディア７１１を駆動し、データの記録あるいは読み取りを実行する。
【０２３９】
なお、データの符号化あるいは復号は、データ処理部としてのＣＰＵ７０１の処理として実行可能であるが、符号化処理あるいは復号処理を実行するための専用ハードウェアとしてのコーデックを備えた構成としてもよい。
【０２４０】
［９．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０２４１】
なお、本明細書において開示した技術は、以下のような構成をとることができる。
（１）  コンテンツ再生処理を実行するデータ処理部を有し、
前記データ処理部は、
コンテンツに対応付けられた管理データに記録された音声電子透かし検出要否情報を参照し、再生対象コンテンツが音声電子透かし検出要のコンテンツであるか否かを判定し、該判定結果に応じてコンテンツ再生時に音声電子透かしの検出または検出結果に応じた対応処理を実行するか否かを決定する情報処理装置。
【０２４２】
（２）  前記管理データは、コンテンツに対応して設定されたコンテンツ証明書であり、
前記データ処理部は、
再生対象コンテンツに対応するコンテンツ証明書に記録された音声電子透かし検出要否情報を取得する（１）に記載の情報処理装置。
【０２４３】
（３）  前記コンテンツ証明書は、電子署名が設定された証明書であり、
前記データ処理部は、
前記電子署名に対する署名検証を実行し、コンテンツ証明書が改ざんのない正当な証明書であることを確認した後、該コンテンツ証明書に記録された音声電子透かし検出要否情報を取得する（２）に記載の情報処理装置。
【０２４４】
（４）  前記管理データは、コンテンツに対応して設定されたコンテンツ利用制御情報ファイルであり、
前記データ処理部は、
再生対象コンテンツに対応するコンテンツ利用制御情報ファイルに記録された音声電子透かし検出要否情報を取得する（１）に記載の情報処理装置。
【０２４５】
（５）  前記コンテンツ利用制御情報ファイルは、電子署名が設定された証明書であり、
前記データ処理部は、
前記電子署名に対する署名検証を実行し、コンテンツ利用制御情報ファイルが改ざんのない正当なファイルであることを確認した後、該コンテンツ利用制御情報ファイルに記録された音声電子透かし検出要否情報を取得する（４）に記載の情報処理装置。
【０２４６】
（６）  前記管理データは、コンテンツに対応して設定されたタイトル鍵ファイルであり、
前記データ処理部は、
再生対象コンテンツに対応するタイトル鍵ファイルに記録された音声電子透かし検出要否情報を取得する（１）に記載の情報処理装置。
【０２４７】
（７）  前記タイトル鍵ファイルは、電子署名が設定された証明書であり、
前記データ処理部は、
前記電子署名に対する署名検証を実行し、タイトル鍵ファイルが改ざんのない正当なファイルであることを確認した後、該タイトル鍵ファイルに記録された音声電子透かし検出要否情報を取得する（６）に記載の情報処理装置。
【０２４８】
（８）  前記タイトル鍵ファイルは暗号化データとして構成され、
前記データ処理部は、
情報処理装置に格納した鍵データを適用した復号処理を実行して、前記タイトル鍵ファイルから音声電子透かし検出要否情報を取得する（６）または（７）に記載の情報処理装置。
【０２４９】
（９）  前記データ処理部は、
コンテンツを取得したコンテンツサーバが、コンテンツ管理機関であるライセンスサーバの認定した認定コンテンツサーバである場合は、コンテンツ再生時の音声電子透かしの検出処理を省略し、非認定コンテンツサーバである場合は、コンテンツ再生時の音声電子透かしの検出または検出結果に応じた対応処理を実行する（１）に記載の情報処理装置。
【０２５０】
（１０）  前記データ処理部は、
コンテンツサーバから受信するサーバ証明書に設定された電子署名の検証処理を前記ライセンスサーバの公開鍵を適用して実行し、署名検証が成立した場合は、コンテンツサーバが認定コンテンツサーバであると判定する（９）に記載の情報処理装置。
【０２５１】
（１１）  コンテンツ再生を実行する情報処理装置に対して、コンテンツ再生時に音声電子透かしの検出を実行すべきか省略可能かを示す音声電子透かし検出情報を記録した管理データを提供するライセンスサーバ。
【０２５２】
（１２）  前記管理データは、コンテンツに対応付けられたコンテンツ証明書であり、ライセンスサーバの秘密鍵を適用した電子署名を有するコンテンツ証明書である（１１）に記載のライセンスサーバ。
【０２５３】
（１３）  前記管理データは、コンテンツに対応付けられたコンテンツ利用制御情報ファイルであり、ライセンスサーバの秘密鍵を適用した電子署名を有するコンテンツ利用制御情報ファイルである（１１）に記載のライセンスサーバ。
【０２５４】
（１４）  コンテンツをメディアに記録するデータ処理部を有し、
前記データ処理部は、
記録対象コンテンツに対応付けられた管理データであり、コンテンツ再生時の音声電子透かし検出要否情報を記録した管理データを取得して、前記メディアに記録する情報処理装置。
【０２５５】
（１５）  前記管理データは、コンテンツに対応付けられたコンテンツ証明書であり、電子署名を有するコンテンツ証明書である（１４）に記載の情報処理装置。
【０２５６】
（１６）  前記管理データは、コンテンツに対応付けられたコンテンツ利用制御情報ファイルであり、電子署名を有するコンテンツ利用制御情報ファイルである（１４）に記載の情報処理装置。
【０２５７】
（１７）  情報処理装置においてコンテンツ再生処理を実行する情報処理方法であり、
データ処理部は、
再生対象コンテンツに対応付けられた管理データに記録された音声電子透かし検出要否情報を参照し、再生対象コンテンツが音声電子透かし検出要のコンテンツであるか否かを判定し、該判定結果に応じてコンテンツ再生時に音声電子透かしの検出または検出結果に応じた対応処理を実行するか否かを決定する情報処理方法。
【０２５８】
（１８）  情報処理装置においてコンテンツ再生処理を実行させるプログラムであり、
前記プログラムは、データ処理部に、
再生対象コンテンツに対応付けられた管理データに記録された音声電子透かし検出要否情報を参照する処理と、
再生対象コンテンツが音声電子透かし検出要のコンテンツであるか否かを判定する処理と、
該判定結果に応じてコンテンツ再生時に音声電子透かしの検出または検出結果に応じた対応処理を実行するか否かを決定する処理を実行させるプログラム。
【０２５９】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０２６０】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２６１】
以上、説明したように、本開示の一実施例の構成によれば、音声電子透かしの検出要否情報を適用してコンテンツの再生制御を行う構成が実現される。
具体的には、再生装置のデータ処理部が、コンテンツに対応付けられた管理データに記録された音声電子透かし検出要否情報を参照し、再生コンテンツが音声電子透かし検出要のコンテンツであるか否かを判定し、判定結果に応じて音声電子透かし検出を実行するか否かを決定する。管理データは、コンテンツ証明書、またはコンテンツ利用制御情報、またはタイトル鍵ファイルであり、データ処理部は、いずれかの管理データに記録された検出要否情報に従って音声電子透かし検出または検出結果に応じた対応処理を伴う、または伴わないコンテンツ再生を実行する。
本構成により、音声電子透かしの検出要否情報を適用してコンテンツの再生制御を行う構成が実現される。
【符号の説明】
【０２６２】
１０  映画館用コンテンツ
１１，２１，３１  ディスク
１２  再生装置
２０  ディスク（ＢＤ−ＲＯＭ）
５０  メディア
５１  管理情報設定部（ＡＡＣＳディレクトリ）
５２  データ部（ＢＤＭＶディレクトリ）
６０  情報処理装置
７０  サーバ
８０  第２メディア
１１１  ＢＤ−ＲＯＭ
１１２  放送局
１１３  ビデオカメラ
１２０  情報処理装置
１２１  メディア
２００  ライセンスサーバ
２１０  コンテンツ証明書
２２０  コンテンツ利用制御情報ファイル
６００  情報処理装置
６０１  制御部
６０２  入力部
６０３  通信部
６０４  記憶部
６０５  出力部
６０６  第１メディアインタフェース
６０７  データバッファ
６０８  データ変換部
６０９  第２メディアインタフェース
６１０  第１メディア
６２０  第２メディア
６５１  データ解析部
６５２  画像データ変換部
６５３  音声データ変換部
６５４  字幕データ変換部
６５５  多重化処理部
７０１  ＣＰＵ
７０２  ＲＯＭ
７０３  ＲＡＭ
７０４  バス
７０５  入出力インタフェース
７０６  入力部
７０７  出力部
７０８  記憶部
７０９  通信部
７１０  ドライブ
７１１  リムーバブルメディア
【図１】
2016103303.tif 000003
【図２】
2016103303.tif 000004
【図３】
2016103303.tif 000005
【図４】
2016103303.tif 000006
【図５】
2016103303.tif 000007
【図６】
2016103303.tif 000008
【図７】
2016103303.tif 000009
【図８】
2016103303.tif 000010
【図９】
2016103303.tif 000011
【図１０】
2016103303.tif 000012
【図１１】
2016103303.tif 000013
【図１２】
2016103303.tif 000014
【図１３】
2016103303.tif 000015
【図１４】
2016103303.tif 000016
【図１５】
2016103303.tif 000017
【図１６】
2016103303.tif 000018
【図１７】
2016103303.tif 000019
【図１８】
2016103303.tif 000020
【図１９】
2016103303.tif 000021